(57)【要約】本発明は、シャツやシャツドレスなど着用者の上半身の少なくとも一部をカバーする外衣に関し、当該外衣は最適に調整された寸法を有し、ブラジャー寸法や身長といった着用者の身体的特徴に基づき変化する少なくとも１つの寸法を含む。例えば、マスターパターンは選択されたスタイルで、選択された体型につき、特定のブラジャー寸法および身長の着用者について外衣用の通常の態様で設計できる。上記と同じスタイルの同じ外衣は、着用者の体型および胸囲が同じであっても、ブラジャーカップサイズおよび／または身長が異なる場合は、例えばアルゴリズムに基づき、全ての寸法よりも少数の寸法を調整することにより定義される。
2008544094.tif 000002
【特許請求の範囲】
【請求項１】
着用者の上半身の少なくとも一部をカバーする外衣の寸法を最適に調整する方法であって、該方法は、
第１のサイズで該外衣を設計する工程と、
第２のサイズで該外衣を作製する工程と、
を包含し、
該第２のサイズは、該第１のサイズと異なり、
該作製する工程は、該第１のサイズの該外衣の全ての寸法よりも少数の寸法を調整して該第２のサイズの該外衣の寸法を取得することによって達成され、
該寸法は、着用者の上半身に所定の適合度をもたらす、
方法。
【請求項２】
前記調整は、補正値セットに基づいて行われる、請求項１に記載の方法。
【請求項３】
前記第２のサイズは、ブラジャーカップサイズにおいて前記第１のサイズと異なり、前記補正値セットのうちの１つの補正値は、前記全ての寸法よりも少数の寸法を調整するための、少なくとも１つのパーセンテージを特定する、請求項２に記載の方法。
【請求項４】
前記第２のサイズは、長さにおいて前記第１のサイズと異なり、前記補正値セットのうちの１つの補正値は、前記全ての寸法よりも少数の寸法を調整するための、少なくとも１つのインチ数を特定する、請求項２に記載の方法。
【請求項５】
前記第２のサイズは、ブラジャーカップサイズおよび長さにおいて前記第１のサイズと異なり、前記補正値セットのうちの１つの補正値は、前記全ての寸法よりも少数の寸法のうちの少なくとも１つを調整するための、パーセンテージを特定し、該補正値セットのうちの別の補正値は、該全ての寸法よりも少数の寸法のうちの該少なくとも１つ、または該全ての寸法よりも少数の寸法のうちの別の１つを調整するための、インチ数を特定する、請求項２に記載の方法。
【請求項６】
前記第１のサイズは、ブラジャーカップサイズがＢで身長が５フィート６インチ以上５フィート１１インチ未満の着用者用に設計される、請求項１に記載の方法。
【請求項７】
請求項６に記載の方法であって、
前記寸法は、ａ＝（ａ０＊Ｑ）＋Ｋ、ｂ＝（ｂ０＊Ｒ）＋Ｌ、ｃ＝ｃ０＊Ｓ、ｄ＝ｄ０＊Ｔ、ｅ＝ｅ０＊Ｕ、ｆ＝ｆ０＊Ｖ、ｇ＝ｇ０＊Ｗ、ｈ＝ｈ０＊Ｘ、ｉ＝ｉ０＊Ｙ、ｊ＝ｊ０＋Ｍ、ｋ＝ｋ０＋Ｎ、ｌ＝ｌ０、ｍ＝ｍ０、ｎ＝ｎ０、ｏ＝ｏ０、ｐ＝ｐ０、ｑ＝ｑ０、ｒ＝ｒ０、ｓ＝ｓ０、ｔ＝ｔ０、ｕ＝ｕ０、ｖ＝ｖ０、ｗ＝ｗ０、およびｘ＝ｘ０＊Ｚ、の寸法のうちの１つ以上を含み、
ここで、寸法ａ〜ｘは、それぞれ着丈、肩の一番高い点から胸部頂点まで、胸回り、裾回り、ウエスト、前身幅、肩幅、背幅、アームホール回り、裄丈、アームホールの底点からウエストまで、カフス回り、カフス幅、袖開き丈、袖開き幅、背首幅、前身ごろ襟ぐり深さ、後ろ身ごろ襟ぐり深さ、台襟幅、襟幅、前襟幅、前開き幅、ヨーク、およびスカートの裾回り、を表し、
寸法ａ０〜ｘ０は、前記第１のサイズにおける該寸法ａ〜ｘを表し、
前記調整は以下の定式、すなわち、
前記第２のサイズがブラジャーカップサイズＡの着用者用に設計される場合には、Ｑ＝９９．７％、Ｒ＝９７．５％、Ｓ＝９７．９％、Ｔ＝９８．７％、Ｕ＝９８．４％、Ｖ＝９８．９％、Ｗ＝９９．１％、Ｘ＝９９．１％、Ｙ＝９９．３％、Ｚ＝９８．９％、
該第２のサイズがブラジャーカップサイズＣの着用者用に設計される場合には、Ｑ＝１００．３％、Ｒ＝１０２．５％、Ｓ＝１０３．６％、Ｔ＝１０１．３％、Ｕ＝１０１．６％、Ｖ＝１０１．１％、Ｗ＝１００．９％、Ｘ＝１００．９％、Ｙ＝１００．７％、Ｚ＝１０１．１％、
該第２のサイズがブラジャーカップサイズＤの着用者用に設計される場合には、Ｑ＝１００．６％、Ｒ＝１０４．９％、Ｓ＝１０７％、Ｔ＝１０２．５％、Ｕ＝１０３．３％、Ｖ＝１０２．１％、Ｗ＝１０１．７％、Ｘ＝１０１．９％、Ｙ＝１０１．３％、Ｚ＝１０２．２％、
該第２のサイズがブラジャーカップサイズＤＤの着用者用に設計される場合には、Ｑ＝１０１％、Ｒ＝１０９．７％、Ｓ＝１１０．４％、Ｔ＝１０４．４％、Ｕ＝１０５．６％、Ｖ＝１０３１％、Ｗ＝１０２．５％、Ｘ＝１０２．８％、Ｙ＝１０２％、Ｚ＝１０３．９％、
該第２のサイズがブラジャーカップサイズＦの着用者用に設計される場合には、Ｑ＝１０３．２％、Ｒ＝１１５．７％、Ｓ＝１１１．３％、Ｔ＝１０５．８％、Ｕ＝１０６．８％、Ｖ＝１０３．３％、Ｗ＝１０３％、Ｘ＝１０３％、Ｙ＝１０４．２％、Ｚ＝１０５％、
該第２のサイズがブラジャーカップサイズＧの着用者用に設計される場合には、Ｑ＝１０４．１％、Ｒ＝１１７．８％、Ｓ＝１１１．５％、Ｔ＝１０７．３％、Ｕ＝１０８．６％、Ｖ＝１０４．１％、Ｗ＝１０３．７％、Ｘ＝１０３．８％、Ｙ＝１０５．４％、Ｚ＝１０６．１％、
該第２のサイズがブラジャーカップサイズＢの着用者用に設計される場合には、Ｑ＝Ｒ＝Ｓ＝Ｔ＝Ｕ＝Ｖ＝Ｗ＝Ｘ＝Ｙ＝Ｚ＝１００％、であり、
また、該第２のサイズが身長５フィート２インチ未満の着用者用に設計される場合には、Ｋ＝−３．５インチ、Ｌ＝−０．８７５インチ、Ｍ＝−３．５インチ、Ｎ＝−１．７５インチ、
該第２のサイズが身長５フィート２インチ以上５フィート６インチ未満の着用者用に設計される場合には、Ｋ＝−２インチ、Ｌ＝−０．５インチ、Ｍ＝−２インチ、Ｎ＝−１インチ、
該第２のサイズが身長５フィート１１インチ以上の着用者用に設計される場合には、Ｋ＝２インチ、Ｌ＝０．５インチ、Ｍ＝２インチ、Ｎ＝１インチ、
該第２のサイズが身長５フィート６インチ以上５フィート１１インチ未満の着用者用に設計される場合には、Ｋ＝Ｌ＝Ｍ＝Ｎ＝０、であり、
さらに、ａ〜ｘのうちの任意の１つ以上が±２％変化し得る、
該定式に従って行われる、
方法。
【請求項８】
前記外衣は、
シャツと、
織物のトップと、
カットソーのニットトップと、
フルファッションのニットトップと、
ジャケットと、
コートと、
ブレザーと、
アウターウェアーと、
シャツドレスと、
ドレスと、
ガウンと、
Ｔシャツと、
ポロシャツと、
セーターと、
スウェットシャツと、
タンクトップと、
のうちの少なくとも１つである、
請求項１に記載の方法。
【請求項９】
前記外衣は、織物生地と、メリヤス生地と、毛糸編物と、レース材料と、綿材料と、ポリエステル材料と、デニム材料と、皮革材料と、スエード材料と、天然毛皮材料と、合成毛皮材料と、麻材料と、羊毛材料と、コーデュロイ材料と、天然または合成の混合紡糸を含有する材料と、のうちの少なくとも１つから形成される、請求項１に記載の方法。
【請求項１０】
着用者の上半身に所定の適合度を提供するうえで十分なサイズで形成された外衣であって、該外衣は最適に調整された寸法を有し、該寸法は、該着用者のブラジャーカップサイズおよび身長に基づいて調整された全ての寸法よりも少数の寸法を含む、外衣。
【請求項１１】
前記調整は、補正値セットに基づいて行われる、請求項１０に記載の外衣。
【請求項１２】
第２のサイズは、ブラジャーカップサイズにおいて第１のサイズと異なり、前記補正値セットのうちの１つの補正値は、前記全ての寸法よりも少数の寸法を調整するための、少なくとも１つのパーセンテージを特定する、請求項１１に記載の外衣。
【請求項１３】
第２のサイズは、長さにおいて第１のサイズと異なり、前記補正値セットのうちの１つの補正値は、前記全ての寸法よりも少数の寸法を調整するための、少なくとも１つのインチ数を特定する、請求項１１に記載の外衣。
【請求項１４】
第２のサイズは、ブラジャーカップサイズおよび長さにおいて第１のサイズと異なり、前記補正値セットのうちの１つの補正値は、前記全ての寸法よりも少数の寸法のうちの少なくとも１つを調整するための、パーセンテージを特定し、該補正値セットのうちの別の補正値は、該全ての寸法よりも少数の寸法のうちの該少なくとも１つ、または該全ての寸法よりも少数の寸法のうちの別の１つを調整するための、インチ数を特定する、請求項１１に記載の外衣。
【請求項１５】
前記第１のサイズは、ブラジャーカップサイズがＢで身長が５フィート６インチ以上５フィート１１インチ未満の着用者用に設計される、請求項１４に記載の外衣。
【請求項１６】
請求項１５に記載の外衣であって、
前記寸法は、ａ＝（ａ０＊Ｑ）＋Ｋ、ｂ＝（ｂ０＊Ｒ）＋Ｌ、ｃ＝ｃ０＊Ｓ、ｄ＝ｄ０＊Ｔ、ｅ＝ｅ０＊Ｕ、ｆ＝ｆ０＊Ｖ、ｇ＝ｇ０＊Ｗ、ｈ＝ｈ０＊Ｘ、ｉ＝ｉ０＊Ｙ、ｊ＝ｊ０＋Ｍ、ｋ＝ｋ０＋Ｎ、ｌ＝ｌ０、ｍ＝ｍ０、ｎ＝ｎ０、ｏ＝ｏ０、ｐ＝ｐ０、ｑ＝ｑ０、ｒ＝ｒ０、ｓ＝ｓ０、ｔ＝ｔ０、ｕ＝ｕ０、ｖ＝ｖ０、ｗ＝ｗ０、およびｘ＝ｘ０＊Ｚ、の寸法のうちの１つ以上を含み、
ここで、寸法ａ〜ｘは、それぞれ着丈、肩の一番高い点から胸部頂点まで、胸回り、裾回り、ウエスト、前身幅、肩幅、背幅、アームホール回り、裄丈、アームホールの底点からウエストまで、カフス回り、カフス幅、袖開き丈、袖開き幅、背首幅、前身ごろ襟ぐり深さ、後ろ身ごろ襟ぐり深さ、台襟幅、襟幅、前襟幅、前開き幅、ヨーク、およびスカートの裾回りを表し、
寸法ａ０〜ｘ０は前記第１のサイズにおける該寸法ａ〜ｘを表し、
前記調整は以下の定式、すなわち、
前記第２のサイズがブラジャーカップサイズＡの着用者用に設計される場合には、Ｑ＝９９．７％、Ｒ＝９７．５％、Ｓ＝９７．９％、Ｔ＝９８．７％、Ｕ＝９８．４％、Ｖ＝９８．９％、Ｗ＝９９．１％、Ｘ＝９９．１％、Ｙ＝９９．３％、Ｚ＝９８．９％、
該第２のサイズがブラジャーカップサイズＣの着用者用に設計される場合には、Ｑ＝１００．３％、Ｒ＝１０２．５％、Ｓ＝１０３．６％、Ｔ＝１０１．３％、Ｕ＝１０１．６％、Ｖ＝１０１．１％、Ｗ＝１００．９％、Ｘ＝１００．９％、Ｙ＝１００．７％、Ｚ＝１０１．１％、
該第２のサイズがブラジャーカップサイズＤの着用者用に設計される場合には、Ｑ＝１００．６％、Ｒ＝１０４．９％、Ｓ＝１０７％、Ｔ＝１０２．５％、Ｕ＝１０３．３％、Ｖ＝１０２．１％、Ｗ＝１０１．７％、Ｘ＝１０１．９％、Ｙ＝１０１．３％、Ｚ＝１０２．２％、
該第２のサイズがブラジャーカップサイズＤＤの着用者用に設計される場合には、Ｑ＝１０１％、Ｒ＝１０９．７％、Ｓ＝１１０．４％、Ｔ＝１０４．４％、Ｕ＝１０５．６％、Ｖ＝１０３１％、Ｗ＝１０２．５％、Ｘ＝１０２．８％、Ｙ＝１０２％、Ｚ＝１０３．９％、
該第２のサイズがブラジャーカップサイズＦの着用者用に設計される場合には、Ｑ＝１０３．２％、Ｒ＝１１５．７％、Ｓ＝１１１．３％、Ｔ＝１０５．８％、Ｕ＝１０６．８％、Ｖ＝１０３．３％、Ｗ＝１０３％、Ｘ＝１０３％、Ｙ＝１０４．２％、Ｚ＝１０５％、
該第２のサイズがブラジャーカップサイズＧの着用者用に設計される場合には、Ｑ＝１０４．１％、Ｒ＝１１７．８％、Ｓ＝１１１．５％、Ｔ＝１０７．３％、Ｕ＝１０８．６％、Ｖ＝１０４．１％、Ｗ＝１０３．７％、Ｘ＝１０３．８％、Ｙ＝１０５．４％、Ｚ＝１０６．１％、
該第２のサイズがブラジャーカップサイズＢの着用者用に設計される場合には、Ｑ＝Ｒ＝Ｓ＝Ｔ＝Ｕ＝Ｖ＝Ｗ＝Ｘ＝Ｙ＝Ｚ＝１００％、であり、
また、該第２のサイズが身長５フィート２インチ未満の着用者用に設計される場合には、Ｋ＝−３．５インチ、Ｌ＝−０．８７５インチ、Ｍ＝−３．５インチ、Ｎ＝−１．７５インチ、
該第２のサイズが身長５フィート２インチ以上５フィート６インチ未満の着用者用に設計される場合には、Ｋ＝−２インチ、Ｌ＝−０．５インチ、Ｍ＝−２インチ、Ｎ＝−１インチ、
該第２のサイズが身長５フィート１１インチ以上の着用者用に設計される場合には、Ｋ＝２インチ、Ｌ＝０．５インチ、Ｍ＝２インチ、Ｎ＝１インチ、
前記第２のサイズが身長５フィート６インチ以上５フィート１１インチ未満の着用者用に設計される場合は、Ｋ＝Ｌ＝Ｍ＝Ｎ＝０、であり、
さらに、ａ〜ｘのうちの任意の１つ以上が±２％変化し得る、
該定式に従って行われる、
外衣。
【請求項１７】
前記外衣は、
シャツと、
織物のトップと、
カットソーのニットトップと、
フルファッションのニットトップと、
ジャケットと、
コートと、
ブレザーと、
アウターウェアーと、
シャツドレスと、
ドレスと、
ガウンと、
Ｔシャツと、
ポロシャツと、
セーターと、
スウェットシャツと、
タンクトップと、
のうちの少なくとも１つである、請求項１０に記載の外衣。
【請求項１８】
前記外衣は、織物生地と、メリヤス生地と、毛糸編物と、レース材料と、綿材料と、ポリエステル材料と、デニム材料と、皮革材料と、スエード材料と、天然毛皮材料と、合成毛皮材料と、麻材料と、羊毛材料と、コーデュロイ材料と、天然または合成の混合紡糸を含有する材料と、のうちの少なくとも１つから形成される、請求項１０に記載の外衣。
【請求項１９】
着用者の上半身の少なくとも一部をカバーする外衣を、最適に調整された寸法で設計する方法であって、
該外衣を第１のサイズで設計する工程と、
該第１のサイズの該外衣の少なくとも１つの寸法を調整して第２のサイズの該外衣の少なくとも１つの寸法を取得することによって、および該第１のサイズの該外衣の少なくとも１つの他の寸法を調整せずに該第２のサイズの該外衣の少なくとも１つの他の寸法を取得することによって、該第２のサイズで該外衣を作製する工程であって、該第１のサイズは、ブラジャーカップサイズおよび長さにおいて該第２のサイズと異なる、工程と、
を包含する、方法。
【請求項２０】
最適に調整された寸法を有し、着用者の上半身の少なくとも一部をカバーする外衣であって、
該外衣を第２のサイズで作製するための、第１のサイズの該外衣から調整された、少なくとも１つの寸法と、
該外衣を該第２のサイズで作製するための、第１のサイズの該外衣から調整されない、少なくとも１つの他の寸法であって、該第１のサイズはブラジャーカップサイズおよび長さにおいて該第２のサイズと異なる、少なくとも１つの他の寸法と、
を備える、外衣。
【発明の詳細な説明】
【技術分野】
【０００１】
（関連出願の参照）
本願は、２００５年６月１０日付け出願済み米国仮特許出願第６０／６８９，１９１号に基づく利益を主張するものであり、該仮特許出願は、その全体が本明細書において参考として援用される。
【０００２】
（技術分野）
本明細書に開示している発明は、全体として衣類および衣料の設計および作製の技術分野に関し、より具体的には、外衣の寸法を最適に調整する方法に関する。
【背景技術】
【０００３】
本発明以前、衣類は、一般にいくつかある方法のうち１つを使って作製されてきた。その第１の方法は、特定の個人（本明細書では「着用者」とも呼ばれる）に適合するよう、各衣類を注文に応じて作製することであった。この方法は非常に手間と労力がかかり、高価であった。第２のアプローチは、多数の個人に実質的に適した特定サイズの衣類が、当該多数の個人に着用可能であるよう、汎用的にサイズ調整した衣類を作製することであった。これら衣類の寸法は非常に汎用的で、全体的に単純化された身体形状に基づいたもの、多くの場合、利用可能な布地、現行の一般的社会規範、および他の要因に左右されるが、身長および胴回りなど一部の全体的寸法を除けば、特定着用者の実際の寸法とはほとんど無関係である。このため、これらの衣類は、緩すぎるか、きつすぎるか、長すぎるか、短すぎるかのいずれかになり、最終的には各個人の身体に特に適合しなかった。
【０００４】
前世紀には第３の方法が開発された。この方法の一環として、衣類は１つのパターンから作製され、その１パターンから全サイズがグレーディング（比例的に増減）される。この工程で作製された衣類は、番号およびサイズに関する用語を使ってサイズ調整される。例えば、女性用ブラウスは、０、２、４、６、８などのサイズ、またはペティート、スモール、レギュラー、ラージなどのサイズで提供されることが非常に多い。これらのサイズはグレーディングシステムに関係し、その場合、標準的に適合するマスターパターンが衣類用に作製され、これが比例的に増減されて他サイズの寸法が取得される。
【０００５】
通常、衣類の製品ラインはデザイナーにより次のように開発される。まず、デザイナーは、特定のターゲット顧客用に、サイズ４など特定の「サンプルサイズ」でマスターパターンを作製する。他の全サイズは、通常、前記マスターパターンの寸法を比例的に増減させて生成される。例えば、サイズ６用に選択される寸法は、サイズ４マスターパターンの寸法を比例的に伸ばすことにより作製され、サイズ２用に選択される寸法は、サイズ４マスターパターンの寸法を比例的に短くすることにより作製される。
【０００６】
今日も使用されているこのシステムにより、衣類のデザイナーおよびメーカーは、いわゆる「既製の」衣類を生産することが可能になったが、このシステムで大量生産された衣類は必ずしも個人の寸法には適合しない。
【発明の開示】
【発明が解決しようとする課題】
【０００７】
上記の既存システムの主な問題は、パターンのパラメータ寸法のうち、他を変更せず１つだけを増減させて特定の方法で衣類の適合性を改善する標準的な定式がないことである。例えば、デザイナーがサイズ４など特定サイズのマスターパターンを作製する場合、それらの寸法は固定されてしまうため、サイズ４の着用者群に対し胸部など特定の身体領域のばらつきに合わせて補正を行うよう前記寸法を変更する手段は、現在まだ知られていない。したがって、例えば、サイズ２や６など別サイズに移行する際、（旧システムでは）衣類の全体的な寸法が比例的にグレーディングされることから、一定の身体寸法セットにおいて個人間のバストの変動だけに適合させるようパターンを調整する標準的な手段はない。このため、先行技術では、バストまたはウエストに個別に合わせられても双方同時には対応できないサイズ調整方法とは対照的に、衣類の特定の領域または部分だけを他から独立して拡大または縮小させる必要性に注意が払われることはなかった。代わりに、この先行技術シナリオでは、１サイズから次のサイズへパターンをグレーディングする際、パターンの寸法は比例的に増減する。
【０００８】
したがって、着用者の一部の身体的特徴を無視する既存のアプローチでは、必要条件を満たす衣類を作製することはできない。例えば背の高い着用者の場合は、単にシャツの裾に布地が加えられるだけで、シャツを比例的に長くするなどのため衣類の種々の点に布地が加えられることはない。また、このような衣類では、デザイナー間にサイズ調整の連続性がなく、同じデザイナーでもシーズンが異なるライン間にサイズ調整の連続性が見られることは少ない。このような衣類の寸法は業界に認められたいかなる「基準」に基づくものでもなく、従うべき説得性のある先例もないため、あるデザイナーのサイズ４は、別のデザイナーのサイズ４と同じである場合も異なる場合もある。
【０００９】
そのため、衣類の寸法を最適かつ適切に調整可能にし、衣類が高い信頼度で適合するようにできる方法および標準アルゴリズムセットを提供することが望まれている。
【課題を解決するための手段】
【００１０】
本発明の原理によれば、衣類の寸法を最適に調整する方法が提供される。例示的目的のため、シャツなどの衣類を作製する方法を説明するが、当該方法は他の衣類へも容易に拡張できることは言うまでもない。
【００１１】
本発明は、さらに、形状ターゲット（スポーツ体型、骨太体型）、民族ターゲット、年齢ターゲット（思春期、中年、高齢者など）といったターゲット顧客の代表的「体型」を基にした寸法調整を提供する。次に、「スリムフィット」や「リラックスフィット」などのファッションスタイルが考慮される。次に本発明に従って、１つではなく複数の基本パターン（例えば各ブラジャーカップサイズに１パターン）を使って、衣類の製品ラインが作製される。これにより、他の考慮事項およびパラメータを加味することで特定の寸法を異なる率で増減し、より優れた適合性を実現する能力がもたらされる。
【００１２】
ファッションスタイルの１つは、スリムフィットスタイルなど身体に近づけて適合させるものだが、本発明はこの特定の傾向だけに限定されるものではない。例えば、ブラジャー（ブラ）寸法は「バスト寸法」または「胸囲寸法」とも呼ばれ、胸囲およびブラジャーカップサイズを含むものだが、注文仕立て衣類にも、またリラックスフィットスタイルなどゆったりした衣類にも組み込むことができるため、本発明に基づきサイズ調整された衣類の汎用性を強化する。本発明は、１つのファッションスタイル内の異なる体型にも使用できるため、スポーツ体型の女性用に設計された仕立て衣類を高齢女性用の同等の仕立て衣類と異なるものにできる。これにより、本発明の一実施形態において、衣類は、スリムフィットやリラックスフィットなどを含む種々のスタイルにおいて、スポーツ体型、骨細体型、高齢者体型など種々の体型に適合するアルゴリズムを使って作製できる。さらに、前記サイズ調整アルゴリズムは、分数サイズ（３４半、Ｂ＋、Ｂ−など）の衣類を作製するよう、また織物のトップ、カットソーのニットトップ、フルファッションのニットトップ、ジャケット、コート、ドレスのほか、シャツ、シャツドレス、ブレザーを含む（これに限定されるものではないが）アウターウェアーなど種々の衣料品も作製するよう拡張することができる。その結果、本明細書に開示したサイズ調整アルゴリズムを使うと、衣類は、スタイルおよび体型を選択することにより作製可能になり、異なる身体寸法の種々の体型およびサイズに適合するようになる。本発明は、個々のブランドに基づきまた当該ブランドに適した、さらに特別で各個人に合った上記の利点を有する既製服の作製に特に適している。
【００１３】
本発明の方法で作製された衣類では、個人のブラジャー寸法を、他の寸法とは独立に当該衣類に組み込んでいる。カフス回り、カフス幅、袖開き丈、袖開き幅、背首幅、後ろ身ごろ襟ぐり深さなど他の衣類寸法は、標準値のまま残るが、ブラジャー寸法は独立して導入される。衣類の前身幅寸法は、個人特有の体型および寸法により増減しうるが、他の衣類寸法は、標準的な態様でサイズごとにグレーディングされる。
【００１４】
全体としては、本発明を使用すると、特定の身体寸法に基づき適合する衣類を作製することができる。本発明の一実施形態では、新規性のあるアルゴリズムを使用して、特定の身体寸法に応じ、あるサイズの種々の衣類寸法を、別サイズの当該衣類寸法から決定することができる。例えば、特定サイズの衣類について通常の態様でマスターパターンを設計することができ、そのマスターパターンを複数の寸法で定義して、異なる衣類特性をカバーする２つのグループに前記寸法を分割することができる。一方のグループの寸法は、本発明独特の非比例的な調整システムを使って種々の適合性を得るため増減させて調整できる。例えば、それらの寸法はブラジャーカップサイズに基づき調整できる。第２のグループの寸法は、ブラジャーカップサイズが変化しても変更されずに残る。ブラジャーカップサイズが同じでも胸囲が異なる場合の寸法を得るには、当該技術分野で知られている標準的な基準を使って寸法を増減させ比例的にグレーディングする。
【００１５】
大半の衣類寸法は上記の第２のグループに属すが、本発明者は、一部の着用者身体の特定の特徴に合わせて補正を行うよう変更できる特定の寸法を特定した。これにより、進歩性のある本明細書の方法は、各種サイズの着用者に対し、これまでの方法より良好に適合する衣類をもたらす。以上説明したように、本発明で使用可能な主な寸法はブラジャー寸法および身長である。そして、本発明に従って作製された衣類は、各個人の寸法により適合するようブラジャー寸法および身長に基づき調整される。例えば、シャツは、３２Ａ〜ＤＤ、３４Ａ〜ＤＤ、３６Ａ〜ＤＤ、またはこれらの中間の、またはこれらより大きい若しくは小さい任意サイズなど、ブラジャーと同じサイズで作製可能である。さらに衣類は身長についても分類可能であり、ペティート、レギュラー、ロング、エクストラロング、ショートなどとして特徴付けることができる。ロングとして特徴付けられたシャツでは、シャツの全体的な適合性に影響を及ぼす３つの重要な領域において丈が加えられる。例えば、着丈、肩の一番高い点から胸部頂点まで、および裄丈の寸法は、ロングとして特徴付けられたシャツでは増加する可能性がある。
【発明を実施するための最良の形態】
【００１６】
上記のように、本発明は、着用者の特定の身体的特徴に基づき一部の寸法を調整できるようにし、かつ着用者の特定の身体的特徴が変化しても一部の寸法は変更されないようにできることにより、各種サイズおよび各種体型の着用者に衣類を適合させる方法を改善する。これは、特定の体型用に（細身やスポーツ体型など）、特定のスタイルで（スリムフィットやリラックスフィットなど）、特定のサイズで、さらに衣類の一部の寸法を調整して異なるサイズの、ただし同じ体型で同じスタイルの衣類を取得して衣類を設計することにより達成される。前記寸法は、着用者の体型および前記衣類のスタイルに応じ、着用者の身体にある程度の適合性をもたらす。
【００１７】
本発明の好適な実施形態を使用すると、胸囲およびブラジャーカップサイズを含むブラジャーの寸法と、身長とに応じて異なるサイズの衣類を取得することにより、先行技術方法を使用した場合より適合性の高い衣類をもたらすことができる。本発明に係る方法を使用すると、ブラジャー寸法および身長に基づいてサイズ調整できるシャツに加え、織物のトップ、カットソーのニットトップ、フルファッションのニットトップ、ジャケット、ドレスのほか、シャツドレス、ガウン、Ｔシャツ、ポロシャツ、セーター、スウェットシャツ、タンクトップを含む（これに限定されるものではないが）アウターウェアーなど、異なるサイズの他の衣類を取得することができる。
【００１８】
本発明の好適な一実施形態では、シャツラインのサイズは、（１）胸囲、（２）ブラジャーのカップサイズ、および（３）長さ（ショート、レギュラー、ロングなど）の３つのパラメータで定義することができる。これにより、個人が「３４Ｂロング」のシャツを指定し購入できるようになる。上記最初の２つのパラメータは、本明細書において「個人のブラジャー寸法」と呼ばれるものを構成し、第３のパラメータは個人の身長に関する。
【００１９】
本発明の好適な一実施形態では、ブラジャー寸法３４Ｂロングのシャツから異なるブラジャーカップサイズのシャツの寸法を取得するアルゴリズムを提供する。本発明に従って作製されたシャツのラインは、全般的に次のように説明できる。まず、選択された体型およびシャツスタイル用のマスターシャツパターンは１若しくはそれ以上の寸法ａ〜ｘを有することができ、ここでａ〜ｘは、図１Ｃに記載し以下で詳述するように、着丈、肩の一番高い点から胸部頂点まで、胸回り、裾回り、ウエスト、前身幅、肩幅、背幅、アームホール回り、裄丈、アームホールの底点からウエストまで、カフス回り、カフス幅、袖開き丈、袖開き幅、背首幅、前身ごろ襟ぐり深さ、後ろ身ごろ襟ぐり深さ、台襟幅、襟幅、前襟幅、前開き幅、ヨーク、スカートの裾回り、をそれぞれ表しうる。マスターシャツパターンは、１若しくはそれ以上の寸法ａ＝ａ０、ｂ＝ｂ０、ｃ＝ｃ０、ｄ＝ｄ０、ｅ＝ｅ０、ｆ＝ｆ０、ｇ＝ｇ０、ｈ＝ｈ０、ｉ＝ｉ０、ｊ＝ｊ０、ｋ＝ｋ０、ｌ＝ｌ０、ｍ＝ｍ０、ｎ＝ｎ０、ｏ＝ｏ０、ｐ＝ｐ０、ｑ＝ｑ０、ｒ＝ｒ０、ｓ＝ｓ０、ｔ＝ｔ０、ｕ＝ｕ０、ｖ＝ｖ０、ｗ＝ｗ０、およびｘ＝ｘ０で、３４Ｂロングなど特定の基本サイズ用に設計できる。このマスターシャツパターンの寸法を使用すると、以下いくつかの具体例に例示し、次のように表される革新的な本アルゴリズムを使って、３４Ａレギュラー、３４Ｂレギュラー、３４Ｃレギュラー、３４Ｄレギュラー、３４ＤＤレギュラー、３４Ｆレギュラー、３４Ｇレギュラー、３４Ａロング、３４Ｃロングなど異なるブラジャーカップサイズおよび異なる長さ用に他の複数のパターンを作製することができる。
【００２０】
ＩＦ  ａ  ＝  （ａ０＊Ｑ）＋Ｋ，  ｂ  ＝  （ｂ０＊Ｒ）＋Ｌ，  ｃ  ＝  ｃ０＊Ｓ，  ｄ  ＝  ｄ０＊Ｔ，  ｅ  ＝  ｅ０＊Ｕ，  ｆ  ＝  ｆ０＊Ｖ，  ｇ  ＝  ｇ０＊Ｗ，  ｈ  ＝  ｈ０＊Ｘ，  ｉ  ＝  ｉ０＊Ｙ，  ｊ  ＝  ｊ０＋Ｍ，  ｋ  ＝  ｋ０＋Ｎ，  ｌ  ＝  ｌ０，  ｍ  ＝  ｍ０，  ｎ  ＝  ｎ０，  ｏ  ＝  ｏ０，  ｐ  ＝  ｐ０，  ｑ  ＝  ｑ０，  ｒ  ＝  ｒ０，  ｓ  ＝  ｓ０，  ｔ  ＝  ｔ０，  ｕ  ＝  ｕ０，  ｖ  ＝  ｖ０，  ｗ  ＝  ｗ０  ａｎｄ  ｘ  ＝  ｘ０＊Ｚ
ＡＮＤ  ＢＲＡ  ＣＵＰ  ＳＩＺＥ  ＝  Ａ，
ＴＨＥＮ  Ｑ  ＝  ９９．７％，  Ｒ  ＝  ９７．５％，  Ｓ  ＝  ９７．９％，  Ｔ  ＝  ９８．７％，  Ｕ  ＝  ９８．４％，  Ｖ  ＝  ９８．９％，  Ｗ  ＝  ９９．１％，  Ｘ  ＝  ９９．１％，  Ｙ  ＝  ９９．３％，  Ｚ  ＝  ９８．９％；
ＥＬＳＥ  ＩＦ  ＢＲＡ  ＣＵＰ  ＳＩＺＥ  ＝  Ｃ，
ＴＨＥＮ  Ｑ  ＝  １００．３％，  Ｒ  ＝  １０２．５％，  Ｓ  ＝  １０３．６％，  Ｔ  ＝  １０１．３％，  Ｕ  ＝  １０１．６％，  Ｖ  ＝  １０１．１％，  Ｗ  ＝  １００．９％，  Ｘ  ＝  １００．９％，  Ｙ  ＝  １００．７％，  Ｚ  ＝  １０１．１％；
ＥＬＳＥ  ＩＦ  ＢＲＡ  ＣＵＰ  ＳＩＺＥ  ＝  Ｄ，
ＴＨＥＮ  Ｑ  ＝  １００．６％，  Ｒ  ＝  １０４．９％，  Ｓ  ＝  １０７％，  Ｔ  ＝  １０２．５％，  Ｕ  ＝  １０３．３％，  Ｖ  ＝  １０２．１％，  Ｗ  ＝  １０１．７％，  Ｘ  ＝  １０１．９％，  Ｙ  ＝  １０１．３％，  Ｚ  ＝  １０２．２％；
ＥＬＳＥ  ＩＦ  ＢＲＡ  ＣＵＰ  ＳＩＺＥ  ＝  ＤＤ，
ＴＨＥＮ  Ｑ  ＝  １０１％，  Ｒ  ＝  １０９．７％，  Ｓ  ＝  １１０．４％，  Ｔ  ＝  １０４．４％，  Ｕ  ＝  １０５．６％，  Ｖ  ＝  １０３．１％，  Ｗ  ＝  １０２．５％，  Ｘ  ＝  １０２．８％，  Ｙ  ＝  １０２％，  Ｚ  ＝  １０３．９％；
ＥＬＳＥ  ＩＦ  ＢＲＡ  ＣＵＰ  ＳＩＺＥ  ＝  Ｆ，
ＴＨＥＮ  Ｑ  ＝  １０３．２％，  Ｒ  ＝  １１５．７％，  Ｓ  ＝  １１１．３％，  Ｔ  ＝  １０５．８％，  Ｕ  ＝  １０６．８％，  Ｖ  ＝  １０３．３％，  Ｗ  ＝  １０３％，  Ｘ  ＝  １０３％，  Ｙ  ＝  １０４．２％，  Ｚ  ＝  １０５％；
ＥＬＳＥ  ＩＦ  ＢＲＡ  ＣＵＰ  ＳＩＺＥ  ＝  Ｇ，
ＴＨＥＮ  Ｑ  ＝  １０４．１％，  Ｒ  ＝  １１７．８％，  Ｓ  ＝  １１１．５％，  Ｔ  ＝  １０７．３％，  Ｕ  ＝  １０８．６％，  Ｖ  ＝  １０４．１％，  Ｗ  ＝  １０３．７％，  Ｘ  ＝  １０３．８％，  Ｙ  ＝  １０５．４％，  Ｚ  ＝  １０６．１％；
ＥＬＳＥ  ＩＦ  ＢＲＡ  ＣＵＰ  ＳＩＺＥ  ＝  Ｂ，
ＴＨＥＮ  Ｑ  ＝  Ｒ  ＝  Ｓ  ＝  Ｔ  ＝  Ｕ  ＝  Ｖ  ＝  Ｗ  ＝  Ｘ  ＝  Ｙ  ＝  Ｚ  ＝  １００％；
ＷＨＥＲＥ  ＩＦ  ＨＥＩＧＨＴ  ＜  ５’２”，
ＴＨＥＮ  Ｋ  ＝  −３．５”，  Ｌ  ＝  −０．８７５”，  Ｍ  ＝  −３．５”，  Ｎ  ＝  −１．７５”；
ＥＬＳＥ  ＩＦ  ５’２”  ≦  ＨＥＩＧＨＴ  ＜  ５’６”，
ＴＨＥＮ  Ｋ  ＝  −２”，  Ｌ  ＝  −０．５”，  Ｍ  ＝  −２’，  Ｎ  ＝  −１”；
ＥＬＳＥ  ＩＦ  ＨＥＩＧＨＴ  ≧  ５’１１”，
ＴＨＥＮ  Ｋ  ＝  ２”，  Ｌ  ＝  ０．５”，  Ｍ  ＝  ２”，  Ｎ  ＝  １”；
ＥＬＳＥ  ＩＦ  ５’６”  ≦  ＨＥＩＧＨＴ  ＜  ５’１１”，
ＴＨＥＮ  Ｋ  ＝  Ｌ  ＝  Ｍ  ＝  Ｎ  ＝  ０；
ＡＮＤ  ＡＮＹ  ＯＮＥ  ＯＲ  ＭＯＲＥ  ＯＦ  ａ−ｘ  ＭＡＹ  ＶＡＲＹ  ＋／−  ２％．
これにより、シャツサイズ３４Ａロングの寸法ａを取得するには、シャツサイズ３４Ｂロングの寸法ａ（ａ０）を１００−９９．７＝０．３％だけ減らし、シャツサイズ３４Ａロングの寸法ｂを取得するには、シャツサイズ３４Ｂロングの寸法ｂ（ｂ０）を１００−９７．５＝２．５％だけ減らし、他寸法も同様である。身長＜５フィート２インチの着用者用にシャツサイズ３４Ｃの寸法ｊを取得するには、シャツサイズ３４Ｂロングの寸法ｊ（ｊ０）を３．５インチだけ減らし、身長＝５フィート１１インチの着用者用にシャツサイズ３４Ｄの寸法ｋを取得するには、シャツサイズ３４Ｂロングの寸法ｋ（ｋ０）を１インチだけ増やす。身長＝５フィート２インチの着用者用にシャツサイズ３４ＤＤの寸法ａを取得するには、シャツサイズ３４Ｂロングの寸法ａ（ａ０）を１０１−１００＝１％増やして２インチ減らし、身長＜５フィート２インチの着用者用にシャツサイズ３４Ｆの寸法ｂを取得するには、シャツサイズ３４Ｂロングの寸法ｂ（ｂ０）を１１５．７−１００＝１５．７％増やして０．８７５インチ減らす。有利なことに、上記のアルゴリズムは、Ａより小さいブラジャーカップサイズ、Ｇより大きいブラジャーカップサイズのほか、Ａ＋やＡ−など他の全ブラジャーカップサイズ（またはそれらの分数サイズ）、および他のいかなる中間サイズも含むよう拡張することができる。
【００２１】
また、胸囲およびブラジャーカップサイズが同じでも長さが異なる場合にも、同様なパターンが作製可能である。ロングシャツの場合は、先行技術のように単にシャツの裾に長さを加えるだけでなく、シャツの全体的な適合性に影響を及ぼす３つの重要な領域に長さを加えることができる。よってロングシャツの場合は、レギュラーシャツの着丈寸法を２インチ（±１／２インチ）増やし、肩の一番高い点から胸部頂点までを１／２インチ（±１／４インチ）増やし、裄丈を２インチ（±１／２インチ）増やす。このアイディアは、ショート、ペティート、エクストラロングといったレギュラーおよびロング以外の長さ、および他のいかなる中間長さも含むよう、有利に拡張することができる。
【００２２】
ここで図１Ａおよび図１Ｂを参照すると、標準寸法ａ〜ｗのシャツ１００が示されており、図１Ｃにはａ〜ｘの採寸位置が示されている。例えば寸法ａは、肩の一番高い点からのシャツの身ごろの長さを指す。当業者であれば、これらの寸法がわかっている場合、図１０に例示し以下より詳しく説明するパターンピースを使って、シャツ１００のマスターパターンを作製できる。
【００２３】
本発明によれば、寸法ａ〜ｘは２つの基本カテゴリーに分離できる。寸法の第１のカテゴリーには、少なくとも図２Ａ〜Ｃ、３Ａ〜Ｃ、および４Ａ〜Ｃに例示した寸法と、本発明に従って特定の所定基準を使い他の寸法と独立に変更される寸法とを含めることができる。寸法の第２のカテゴリーは、図５Ａ〜Ｂに例示し以下に詳述するものであってよく、これらは先行技術の基準を使って従来どおり変更される寸法である。
【００２４】
図２Ａ〜Ｃは第１の寸法（胸回り寸法ｃ）を例示したもので、この寸法はブラジャーカップサイズの変更に対応したバストラインの変更に合わせて補正を行うため、本発明に従って調整できる。この胸回り寸法ｃは、図で示すように、バストから後部および側部にわたるものである。シャツの適合性を改善するには、ブラジャー寸法の変更に合わせて、ただし図１Ａ〜Ｃに示した他の寸法とは独立にこの胸回り寸法を変更すべきであることがわかっている。例えば、本発明では、スリムフィットシャツのパターンサイズ３４Ｂロングの場合、図６の表に示すように、胸回りｃは３６インチである。スリムフィットシャツのパターンサイズ３４Ａロングに合わせるには、図８Ａに示し以下に詳述するように、この寸法を２．１％減らし、スリムフィットシャツのパターンサイズ３４Ｃロングに合わせるには、この寸法ｃを３．５％増やし、スリムフィットシャツのパターンサイズ３４Ｄロングに合わせるには、この寸法ｃを６．９％増やすことができる。すなわち、図６の表に示し以下に詳述するように、サイズ３４Ａロングの場合、ｃは３５．２５インチ、３４Ｃロングの場合、ｃは３７．２５インチ、３４Ｄロングの場合、ｃは３８．５インチとなる。作製の複雑度を軽減するため、これらの値は必要に応じて四捨五入してよい。
【００２５】
図３Ａ〜Ｃは、３つの追加寸法ｄ、ｇ、およびｅ（裾回り、肩幅、およびウエスト）を本発明でいかに利用できるか例示したものである。これらの寸法を、上記のように他の寸法と独立して調整すると、ウエストおよびヒップに沿ってカスタマイズされた適合性を実現できる。
【００２６】
図４Ａ〜Ｃは、３つの追加寸法、前身幅ｆ、背幅ｈ、およびアームホール回りｉをさらに例示したものである。これらの寸法は、すべて各ブラジャーカップサイズおよび胸囲に合わせて増減可能である。これらの寸法を、上記のように他の寸法と独立して調整すると、バストラインより上でシワおよびギャップを防ぐ正確な適合性を実現できる。
【００２７】
図５Ａおよび５Ｂは、図２、図３、または図４では説明していない特定の追加寸法を示している。（ｌ、ｍなどで指定されている）これらの寸法は、先行技術と同様（必要に応じ）増減が可能であり、図２、３、および４に例示した上述の寸法調整と併用して本発明の一部を形成することができる。
【００２８】
以上までを要約すると、好適な実施形態では、上述した本発明の方法は、マスターパターンサイズ３４Ｂロングから３４Ａロング、３４Ｃロング、３４Ｄロング、３４ＤＤロングなどへ、前記寸法ａ〜ｘがいかに変更されるかを指定する。長さが異なるパターンの寸法も計算される（３４Ａレギュラー、３４Ｂレギュラー、３４Ｃレギュラー、３４Ｄレギュラーなど）。
【００２９】
図６の表では、前記スリムフィットシャツのパターンサイズ３４Ａロング、３４Ｂロング、３４Ｃロング、３４Ｄロング、および３４ＤＤロングの寸法ａ〜ｘを一覧している。これらの寸法は、前記スリムフィットシャツのパターンサイズ３４Ａレギュラー、３４Ｂレギュラー、３４Ｃレギュラー、３４Ｄレギュラー、および３４ＤＤレギュラーの寸法ａ〜ｘとは異なりうる。実際、すべての寸法は身長に応じて異なりうる。衣類の少なくとも３つの寸法は、身長について調整される。例えば、着丈、肩の一番高い点から胸部頂点まで、および裄丈の寸法は、ロングとして特徴付けられたシャツでは増加する可能性がある。
【００３０】
図７Ａ〜Ｅの表は、前記スリムフィットシャツの「ペティート」（身長＜５フィート２インチ）パターンの、全サイズ３０、３２、３４、３６、３８、および４０と、カップＡ〜ＤＤとの実際の寸法を一覧したものである。これらの寸法は、前記スリムフィットシャツの「レギュラー」（５フィート２インチ≦身長＜５フィート６インチ）、「ロング」（５フィート６インチ≦身長＜５フィート１１インチ）、および「エクストラロング」（身長≧５フィート１１インチ）の寸法ａ〜ｘとは異なりうる。これらの寸法を上記のように調整すると、ウエストおよびヒップに沿ってカスタマイズされ、バストラインより上でシワおよびギャップを防ぐ正確な適合性を実現できる。
【００３１】
図８Ａの表は、スリムフィットシャツのパターンサイズ３４Ｂロングから、スリムフィットシャツのパターンサイズ３４Ａロング、３４Ｃロング、３４Ｄロング、および３４ＤＤロングを得るための寸法変更のパーセンテージを示したものである。より具体的には、図８Ａの表に示したように、スリムフィットシャツのパターンサイズ３４Ｂロングから見ると、スリムフィットシャツのパターンサイズ３４Ａロングの寸法ａは０．５％短く、寸法ｂは２．５％短く、寸法ｃは２．１％短くなっている（他寸法も同様）。例えば、本発明では、スリムフィットシャツパターンのサイズ３４Ｂロングの場合、図８Ａの表に示すように、着丈ａは２５．０００インチである。パターンサイズ３４Ａロングの着丈ａを得るには、この寸法を０．５％減らす。すなわち、パターンサイズ３４Ａロングの着丈ａは、２４．８７５インチとなる。パターンサイズ３４Ｃロングの着丈ａを得るには、パターンサイズ３４Ｂロングの着丈ａを０．５％増やす。すなわち、パターンサイズ３４Ｃロングの着丈ａは、２５．１２５インチとなる。
【００３２】
パターンサイズ３４Ａロングの肩の一番高い点から胸部頂点までｂを得る場合、パターンサイズ３４Ｂロングの肩の一番高い点から胸部頂点までｂは、図８Ａの表に示すように２．５％短くされる（９．７５インチ）。パターンサイズ３４Ｃロングの肩の一番高い点から胸部頂点までｂを得る場合、パターンサイズ３４Ｂロングの肩の一番高い点から胸部頂点までｂは、図８Ａの表に示すように２．５％長くされる（１０．２５インチ）。
【００３３】
寸法ｌは、ブラジャーカップサイズとともに変化しないが、胸囲に応じて変化する可能性がある。このため本発明では、パターンサイズ３４Ｂロングの場合、カフス回りｌは、図８Ａの表に示すように８．０００インチとなる。パターンサイズ３４Ｂロング用のカフス回りｌは、パターンサイズ３４Ａロング用のカフス回りｌを得る際０．０％変更される（８．０００インチ）。また図８Ａの表に示すように、パターンサイズ３４Ｂロング用のカフス回りｌは、パターンサイズ３４Ｃロング用のカフス回りｌを得る際には０．０％変更される（８．０００インチ）。
【００３４】
図８Ｂの表は、リラックスフィットシャツのパターンサイズ３４Ｂロングから、リラックスフィットシャツのパターンサイズ３４Ａロング、３４Ｃロング、３４Ｄロング、および３４ＤＤロングを得るための寸法変更のパーセンテージを示したものである。より具体的には、図８Ｂの表に示したように、リラックスフィットシャツのパターンサイズ３４Ｂロングから見ると、リラックスフィットシャツのパターンサイズ３４Ａロングの寸法ａは０．５％短く、寸法ｂは２．５％短く、寸法ｃは１．９％短くなっている（他寸法も同様）。例えば図８Ｂの表に示すように、本発明では、リラックスフィットシャツのパターンサイズ３４Ｂロングの場合、胸回りｃは３８．５００インチである。パターンサイズ３４Ａロングの胸回りｃを得るには、この寸法を１．９％減らす。すなわち、パターンサイズ３４Ａロングの胸回りｃは、約３７．８インチとなる。パターンサイズ３４Ｃロングの胸回りｃを得るには、パターンサイズ３４Ｂロングの胸回りｃを３．２％増やす。すなわち、パターンサイズ３４Ｃロングの胸回りｃは、約３９．７インチとなる。
【００３５】
図８Ｃの表は、ホルターシャツのパターンサイズ３４Ｂロングから、ホルターシャツのパターンサイズ３４Ａロング、３４Ｃロング、３４Ｄロング、および３４ＤＤロングを得るための寸法変更のパーセンテージを示したものである。より具体的には、図８Ｃの表に示したように、ホルターシャツのパターンサイズ３４Ｂロングから見ると、ホルターシャツのパターンサイズ３４Ａロングの寸法ａは０．６％短く、寸法ｂは２．５％短く、寸法ｃは２．１％短くなっている（他寸法も同様）。例えば図８Ｃの表に示すように、本発明では、ホルターシャツのパターンサイズ３４Ｂロングの場合、裾回りｄは３６．０００インチである。パターンサイズ３４Ｄロングの裾回りｄを得るには、この寸法を２．８％増やす。すなわち、パターンサイズ３４Ｄロングの裾回りｄは、約３７．０インチとなる。パターンサイズ３４ＤＤロングの裾回りｄを得るには、パターンサイズ３４Ｂロングの裾回りｄを４．９％増やす。すなわち、パターンサイズ３４ＤＤロングの裾回りｄは、約３７．８インチとなる。
【００３６】
図８Ｄの表は、「ソフィーハドソンミッシーフィット１０００７」（Ｓｏｐｈｉｅ  Ｈｕｄｓｏｎ  Ｍｉｓｓｙ  Ｆｉｔ  １０００７）シャツのパターンサイズ３４Ｂロングから、「ソフィーハドソンミッシーフィット１０００７」シャツのパターンサイズ３４Ａロング、３４Ｃロング、３４Ｄロング、および３４ＤＤロングを得るための寸法変更のパーセンテージを示したものである。より具体的には、図８Ｄの表に示したように、「ソフィーハドソンミッシーフィット１０００７」シャツのパターンサイズ３４Ｂロングから見ると、「ソフィーハドソンミッシーフィット１０００７」シャツのパターンサイズ３４Ａロングの寸法ａは０．５％短く、寸法ｂは２．３％短く、寸法ｃは２．０％短くなっている（他寸法も同様）。例えば、本発明では、「ソフィーハドソンミッシーフィット１０００７」シャツのパターンサイズ３４Ｂロングの場合、図８Ａの表に示すように、ウエストｅは３１．０００インチである。パターンサイズ３４Ｄロングのウエストｅを得るには、この寸法を３．２％増やす。すなわち、パターンサイズ３４Ｄロングのウエストｅは、約３２インチとなる。パターンサイズ３４ＤＤロングのウエストｅを得るには、パターンサイズ３４Ｂロングのウエストｅを５．６％増やす。すなわち、パターンサイズ３４ＤＤロングのウエストｅは、約３２．８インチとなる。
【００３７】
図８Ｅの表は、「ソフィーハドソンミッシーフィット１０００８」（Ｓｏｐｈｉｅ  Ｈｕｄｓｏｎ  Ｍｉｓｓｙ  Ｆｉｔ  １０００８）シャツのパターンサイズ３４Ｂロングから、「ソフィーハドソンミッシーフィット１０００８」シャツのパターンサイズ３４Ａロング、３４Ｃロング、３４Ｄロング、および３４ＤＤロングを得るための寸法変更のパーセンテージを示したものである。より具体的には、図８Ｅの表に示したように、「ソフィーハドソンミッシーフィット１０００８」シャツのパターンサイズ３４Ｂロングから見ると、「ソフィーハドソンミッシーフィット１０００８」シャツのパターンサイズ３４Ａロングの寸法ａは１．０％短く、寸法ｂは２．４％短く、寸法ｃは０．７％短くなっている（他寸法も同様）。例えば、本発明では、「ソフィーハドソンミッシーフィット１０００８」シャツのパターンサイズ３４Ｂロングの場合、図８Ｅの表に示すように、前身幅ｆは１３．７５０インチである。パターンサイズ３４Ｄロングの前身幅ｆを得るには、この寸法を１．８％増やす。すなわち、パターンサイズ３４Ｄロングの前身幅ｆは、約１４．００インチとなる。パターンサイズ３４ＤＤロングの前身幅ｆを得るには、パターンサイズ３４Ｂロングの前身幅ｆを２．７％増やす。すなわち、パターンサイズ３４ＤＤロングの前身幅ｆは、約１４．１インチとなる。
【００３８】
図９Ａの表は、「ソフィーハドソンウィメンズフィット１０００７」（Ｓｏｐｈｉｅ  Ｈｕｄｓｏｎ  Ｗｏｍｅｎ’ｓ  Ｆｉｔ  １０００７）シャツについて、パターンサイズ３４Ｂロングを基にして得られる他サイズの種々の寸法ａ〜ｘの結果をパーセンテージで示したものである。より具体的には、図９Ａの表で示すように、パターンサイズ３４Ａロングの場合、寸法ａはパターンサイズ３４Ｂロングの９９．５％となり、寸法ｂはパターンサイズ３４Ｂロングの９７．７％となる（他寸法も同様）。パターンサイズ３４Ｃロングの場合、寸法ａはパターンサイズ３４Ｂロングの１００．５％、寸法ｂはパターンサイズ３４Ｂロングの１０４．７％となる（他寸法も同様）。
【００３９】
図９Ｂの表は、「ソフィーハドソンウィメンズフィット１０００８」（Ｓｏｐｈｉｅ  Ｈｕｄｓｏｎ  Ｗｏｍｅｎ’ｓ  Ｆｉｔ  １０００８）シャツについて、パターンサイズ３４Ｂロングを基にして得られる他サイズの種々の寸法ａ〜ｘの結果をパーセンテージで示したものである。より具体的には、図９Ｂの表で示すように、パターンサイズ３４Ｄロングの場合、寸法ｃはパターンサイズ３４Ｂロングの１０５．８％となり、寸法ｄはパターンサイズ３４Ｂロングの１０２．７％となる（他寸法も同様）。パターンサイズ３４ＤＤロングの場合、寸法ｃはパターンサイズ３４Ｂロングの１０８．０％、寸法ｄはパターンサイズ３４Ｂロングの１０４．２％となる（他寸法も同様）。
【００４０】
図９Ｃの表は、「マリー」（Ｍａｒｉｅ）シャツについて、パターンサイズ３４Ｂロングを基にして得られる他サイズの種々の寸法ａ〜ｘの結果をパーセンテージで示したものである。より具体的には、図９Ｃの表で示すように、パターンサイズ３４Ａロングの場合、寸法ｄはパターンサイズ３４Ｂロングの９８．７％となり、寸法ｅはパターンサイズ３４Ｂロングの９８．３％となる（他寸法も同様）。パターンサイズ３４Ｃロングの場合、寸法ｄはパターンサイズ３４Ｂロングの１０１．３％、寸法ｅはパターンサイズ３４Ｂロングの１０１．７％となる（他寸法も同様）。
【００４１】
図９Ｄの表は、スリムフィットシャツについて、パターンサイズ３４Ｂロングを基にして得られる他サイズの種々の寸法ａ〜ｘの結果をパーセンテージで示したものである。より具体的には、図９Ｄの表で示すように、パターンサイズ３４Ｄロングの場合、寸法ｆはパターンサイズ３４Ｂロングの１０２．０％となり、寸法ｇはパターンサイズ３４Ｂロングの１０１．７％となる（他寸法も同様）。パターンサイズ３４ＤＤロングの場合、寸法ｆはパターンサイズ３４Ｂロングの１０２．９％、寸法ｇはパターンサイズ３４Ｂロングの１０２．５％となる（他寸法も同様）。
【００４２】
図９Ｅの表は、リラックスフィットシャツについて、パターンサイズ３４Ｂロングを基にして得られる他サイズの種々の寸法ａ〜ｘの結果をパーセンテージで示したものである。より具体的には、図９Ｅの表で示すように、パターンサイズ３４Ａロングの場合、寸法ｈはパターンサイズ３４Ｂロングの９９．１％となり、寸法ｉはパターンサイズ３４Ｂロングの９９．３％となる（他寸法も同様）。パターンサイズ３４Ｃロングの場合、寸法ｈはパターンサイズ３４Ｂロングの１００．９％、寸法ｉはパターンサイズ３４Ｂロングの１００．７％となる（他寸法も同様）。
【００４３】
図１０は、本発明の一実施形態に係るシャツ用のパターンピースを示したものである。より具体的には、本発明の一実施形態に係るシャツは、左右の前身ごろパターンピースと、２つの前身ごろ側部パネルピースと、前開きピースと、２つの後ろ身ごろ側部パネルピースと、後ろ身ごろパターンピースと、後ろ身ごろヨークピースと、２つの袖パターンピースと、２つのカフスピースと、２つの袖開きピースと、表襟ピースと、裏襟ピースと、襟腰ピースとを使って構成可能である。
【００４４】
図１１は、本発明の一実施形態に係る左前身ごろパターンピースおよび後ろ身ごろヨークピースの寸法ａを示したものである。より具体的には、本発明の一実施形態に係るスリムフィットシャツのサイズ３４Ｂロングは、寸法２２．２５インチの左前身ごろパターンピースと、寸法１．７５インチの後ろ身ごろヨークピースとを使って、合わせて着丈を２４インチとして構成することができる。当業者であれば理解されるように、硬質の定規を使った平面的な紙のパターンピース測定と、それと対照的に軟質の巻尺を使った実際の衣類測定とから生じる内在的な食い違い、さらに作製工程中に布地の裁断、縫製、伸張、蒸気適用、およびプレスに伴い起こる変化が、パターンピースの寸法および実際の衣類の寸法に差異を生じる（例えば、上述した図６の表では２５インチ）。
【００４５】
図１２は、本発明の一実施形態に係る右前身ごろパターンピースと、前身ごろ側部パネルピースと、後ろ身ごろヨークピースとの寸法ｂを示したものである。この場合、本発明の一実施形態に係るスリムフィットシャツのサイズ３４Ｂロングは、肩の一番高い点から胸部頂点までの寸法が９．７５インチの右前身ごろパターンピースと、寸法１．７５インチの後ろ身ごろヨークピースと、前身ごろ側部パネルピースとを使って構成することができる。これらのピースが縫い合わされると、合わせた寸法ｂは１１．２５インチになる。ここでも上記のように、この寸法は図６の表に示した１０インチとは異なるが、これは異なる測定手順と、布地パターンを作製した後の布地加工とから生じる特有の不一致である。
【００４６】
図１３は、本発明の一実施形態に係る左右の前身ごろパターンピースと、前身ごろ側部パネルピースと、前開きピースと、後ろ身ごろ側部パネルピースと、後ろ身ごろパターンピースとの寸法ｃを示したものである。スリムフィットシャツのパターンサイズ３４Ｂロングの胸回りｃは、前記左右の前身ごろパターンピースの各々が３．９３７５インチ、前記前身ごろ側部パネルピースの各々が５．７５インチ、前記後ろ身ごろ側部パネルピースの各々が４．５インチ、および前記後ろ身ごろパターンピースが１５インチで、前身ごろが合計１９．３７５インチ、後ろ身ごろが合計１６．５インチとなる。ここでも、この寸法は上述した図６の表に示す３６インチと異なるが、これは測定用具と、布地パターンを作製したのち布地に加える変更とから生じる特有の不一致である。
【００４７】
図１４は、本発明の一実施形態に係る左右の前身ごろパターンピースと、前身ごろ側部パネルピースと、前開きピースと、後ろ身ごろ側部パネルピースと、後ろ身ごろパターンピースとの寸法ｄを示したものである。この場合、本発明では、スリムフィットシャツのパターンサイズ３４Ｂロングの裾回りｄは、前記左右の前身ごろパターンピースの各々が４インチ、前記前身ごろ側部パネルピースおよび前記後ろ身ごろ側部パネルピースの各々が６．１２５インチ、および前記後ろ身ごろパターンピースが８．３７５インチで、前身ごろが合計２０．２５インチ、後ろ身ごろが合計２０．６２５インチとなる。ここでも上記のとおり、この寸法は例えば上述の図６の表に示した３８．５インチと異なるが、これは測定用具と、布地パターンを作製したのち布地に加える変更とから生じる特有の不一致である。
【００４８】
図１５は、本発明の一実施形態に係る左右の前身ごろパターンピースと、前身ごろ側部パネルピースと、前開きピースと、後ろ身ごろ側部パネルピースと、後ろ身ごろパターンピースとの寸法ｅを示したものである。スリムフィットシャツのパターンサイズ３４Ｂロングのウエスト寸法は、前記左右の前身ごろパターンピースの各々が３．６２５インチ、前記前身ごろ側部パネルピースの各々が４．６５インチ、前記後ろ身ごろ側部パネルピースの各々が４．１２５インチ、および前記後ろ身ごろパターンピースが７．２５インチで、前身ごろが合計１６．５５インチ、後ろ身ごろが合計１５．５インチとなる。ここでも上記のとおり、この寸法は例えば上述の図６の表に示した３０．５インチと異なるが、これは測定用具と、布地パターンを作製したのち布地に加える変更とから生じる特有の不一致である。
【００４９】
図１６は、本発明の一実施形態に係る左右の前身ごろパターンピースと、前開きピースとの寸法ｆを示したものである。この場合、スリムフィットシャツのパターンサイズ３４Ｂロングの場合、前身幅寸法は、前記左右の前身ごろパターンピースの各々で６．３１２５インチ、合計１２．６２５インチになりうる。ここでも上記のとおり、この寸法は例えば上述の図６の表に示した１２．７５インチと異なるが、これは測定用具の違いと、布地パターンを作製したのち布地に加える変更とから生じる特有の不一致である。
【００５０】
図１７は、本発明の一実施形態に係る後ろ身ごろヨークパターンピースの寸法ｇを示したものである。例えば本発明では、スリムフィットシャツのパターンサイズ３４Ｂロングの場合、この後ろ身ごろヨークパターンピースの寸法は１５．５インチになりうるが、この寸法は例えば図６の表に肩幅寸法として示した１５インチと異なり、これは測定用具の違いと、布地パターンを作製したのち布地に加える変更とから生じる特有の不一致による。
【００５１】
図１８は、本発明の一実施形態に係る後ろ身ごろパターンピースおよび後ろ身ごろ側部パネルピースの寸法ｈを示したものである。スリムフィットシャツの後ろ身ごろパターンピースの寸法９．５インチおよび２つの後ろ身ごろ側部パネルピースの各々の寸法１．６８７５インチ、合計１１．１８７５インチの背幅寸法を調整すると、カスタマイズされた正確な適合性を実現できる。ここでも、この寸法は例えば上述の図６の表に示した１３．７５インチと異なるが、これは測定用具の違いと、布地パターンを作製したのち布地に加える変更とから生じる特有の不一致である。
【００５２】
図１９は、本発明の一実施形態に係る右前身ごろパターンピースと、前身ごろ側部パネルピースと、後ろ身ごろ側部パネルピースと、後ろ身ごろパターンピースと、後ろ身ごろヨークピースと、袖パターンピースとの寸法ｉを示したものである。スリムフィットシャツのアームホール回り寸法は、前記袖の縁部に沿って２０．５インチとなりうる。ここでも、この寸法は例えば上述の図６の表に示した１９インチと異なるが、これは測定用具の違いと、布地パターンを作製したのち布地に加える変更とから生じる特有の不一致である。
【００５３】
図２０は、本発明の一実施形態に係るカフスパターンピースと、袖パターンピースと、後ろ身ごろヨークピースとの寸法ｊを示したものである。スリムフィットシャツのパターンサイズ３４Ｂロングの場合、後ろ身ごろ中央からの裄丈は、前記カフスパターンピースが３インチ、前記袖パターンピースが１７．８７５インチ、前記後ろ身ごろヨークピースが７．７５インチで、合計寸法２８．６２５インチとなりうる。ここでも、この寸法は例えば上述の図６の表に示した３２インチと異なるが、これは測定用具の違いと、布地パターンを作製したのち布地に加える変更とから生じる特有の不一致である。
【００５４】
ここで図２１Ａおよび２１Ｂを参照すると、本発明の別の実施形態が示されている。シャツドレス２００は標準的な寸法ａ〜ｘで示されており、図２１Ｃには、このような寸法の各採寸位置と、スリムフィットシャツドレスのパターンサイズ３４Ａ〜ＤＤロングの種々の寸法ａ〜ｘの値とが示されている。例えば、寸法ｗは、当該シャツドレスのスカートの裾回り（前身ごろおよび後ろ身ごろを合わせたもの）を指す。当業者であれば、これらの寸法がわかっていると、シャツドレス２００のマスターパターンを作製することができる。
【００５５】
本発明に従って作製されたシャツドレスのラインは、全般的に次のように説明できる。まず、選択された体型およびシャツスタイルのマスターシャツドレスパターンが、３４Ｂロングなど特定のサイズ用に設計される。このマスターシャツドレスパターンの寸法を使用すると、上記の式で表した革新的な本アルゴリズムを使って、３４Ａレギュラー、３４Ｂレギュラー、３４Ｃレギュラー、３４Ｄレギュラー、３４ＤＤレギュラー、３４Ｆレギュラー、３４Ｇレギュラー、３４Ａロング、３４Ｃロングなど異なるブラジャーカップサイズおよび異なる長さ用に他の複数のパターンを作製することができる。
【００５６】
これにより、スリムフィットシャツドレスのサイズ３４Ａロングの寸法ａを取得するには、スリムフィットシャツドレスのサイズ３４Ｂロングの寸法ａを１００−９９．７＝０．３％だけ減らし、スリムフィットシャツドレスのサイズ３４Ａロングの寸法ｂを取得するには、スリムフィットシャツドレスのサイズ３４Ｂロングの寸法ｂを１００−９７．５＝２．５％だけ減らし、他寸法も同様である。有利なことに、上記のアルゴリズムは、Ａより小さいブラジャーカップサイズ、Ｇより大きいブラジャーカップサイズのほか、Ａ＋やＡ−など他の全ブラジャーカップサイズ（またはそれらの分数サイズ）、および他のいかなる中間サイズも含むよう拡張することができる。
【００５７】
以上、各個人のサイズに関係なく胴回りおよび他の関連寸法を比例的にグレーディングすると、人々が衣類に求めるようになってきている基本的な「カスタマイズ」を無視することになる旨を、本発明に基づき本明細書で説明してきた。ただし、大半の消費者は、高価な仕立てその他の特別仕立てへの支払いを望まないため、本発明では、所定のサイズ関連アルゴリズムで衣類メーカーにより確定された寸法を使うことで、より個別化されていながらスタイリッシュな衣類適合性が得られるものと規定する。本発明において、いくつかの衣類寸法は以前と同じ態様、すなわち個人のサイズおよび胴回りに応じた比例的なグレーディングにより得られるが、個人の胸囲と、ブラジャーカップサイズと、身長とに最も顕著に関する他の特定の寸法は、本発明の一実施形態に基づき異なる態様で変化させて、各個人により著しく適合した衣類をもたらすことができる。
【００５８】
個人の胸囲と、ブラジャーカップサイズと、身長とに注目することにより、先行技術の衣類とその本質的な不適合性とに伴う無数の問題を、本発明で克服することが可能になる。この種の問題については長年にわたり多くの個人から苦情が寄せられてきているが、特定サイズの個人に対し特別かつ一意に適合性を提供するため、何らかの標準寸法と、何らかの個人寸法または特注寸法との間でバランスをとる解決策は、本発明以前にはまったく提供されていない。
【００５９】
本発明の原理によれば、本発明の原理を実施するサイズ調整および適用性の変形形態は、種々のクラスの衣類に対し得られることが理解されるであろう。例えば、本発明の実施形態は、本願全体にわたる詳述で少なくともシャツおよびシャツドレスを含む衣類全般について明確に説明されており、本発明の他の実施形態には、織物のトップ、カットソーのニットトップ、フルファッションのニットトップ、ジャケット、コート、ブレザー、他のアウターウェアーおよびドレス、ガウン、Ｔシャツ、ポロシャツ、セーター、スウェットシャツ、タンクトップを含め（これに限定されるものではないが）着用者の上半身を少なくとも一部カバーする他の衣料を含めることもできる。さらに、着用者の他の身体的特徴に同じ原理を適用することにより、着用者の他の身体部分のための衣類も作製することができる。
【００６０】
当業者であれば、本発明の実施形態に関する以上の説明から、他の実施形態を示唆することが可能となる。上記は単に本発明の原理を例示するためのものであり、当業者であれば、本発明の要旨を逸脱しない範囲で種々の修正形態が可能である。本明細書で説明した本発明の実施形態は、本発明を例示するためのものであって、本発明を限定するためのものではなく、本発明は添付の請求項によりのみ限定される。
【図面の簡単な説明】
【００６１】
以上に述べた本発明の利点等は、添付の図面を参照して以下の詳細な説明を考慮すれば明確に理解されるであろう。これら添付の図面全体にわたり、同様な参照文字は同様な部分を示している。
【図１Ａ】図１Ａは、シャツの正面図であり、本発明の一実施形態に係る寸法がいかに定義されるかを示している。
【図１Ｂ】図１Ｂは、シャツの背面図であり、本発明の一実施形態に係る寸法がいかに定義されるかを示している。
【図１Ｃ】図１Ｃは、本発明の一実施形態に係る衣類パターン用の寸法を定義した表である。
【図２】図２Ａは、本発明の一実施形態に従って、ブラジャー寸法に適合するようシャツの前身ごろで胸回りを調整することにより構成されたシャツの正面図である。図２Ｂは、本発明の一実施形態に従って、ブラジャー寸法に適合するようシャツの前身ごろで胸回りを調整することにより構成されたシャツの右側面斜視図である。図２Ｃは、本発明の一実施形態に従って、ブラジャー寸法に適合するようシャツ前身ごろで胸回りを調整することにより構成されたシャツの背面図である。
【図３】図３Ａは、本発明の一実施形態に従って、ブラジャー寸法に適合するようシャツの裾回り寸法と、肩幅寸法と、ウエスト寸法とを調整することにより構成されたシャツの正面図である。図３Ｂは、本発明の一実施形態に従って、ブラジャー寸法に適合するようシャツの裾回り寸法およびウエスト寸法を調整することにより構成されたシャツの右側面斜視図である。図３Ｃは、本発明の一実施形態に従って、ブラジャー寸法に適合するようシャツの裾回り寸法およびウエスト寸法を調整することにより構成されたシャツの背面図である。
【図４】図４Ａは、本発明の一実施形態に従って、ブラジャー寸法に適合するようシャツの前身幅寸法およびアームホール回り寸法を調整することにより構成されたシャツの正面図である。図４Ｂは、本発明の一実施形態に従って、ブラジャー寸法に適合するようシャツのアームホール回り寸法を調整することにより構成されたシャツの右側面斜視図である。図４Ｃは、本発明の一実施形態に従って、ブラジャー寸法に適合するようシャツのアームホール回り寸法および背幅寸法を調整することにより構成されたシャツの背面図である。
【図５Ａ】図５Ａは、本発明の一実施形態に従って標準的な調整値を使って調整された寸法（ｌ、ｍ、ｑ、ｓ、ｔ、ｕ、ｖ）で構成されたシャツの正面図である。
【図５Ｂ】図５Ｂは、本発明の一実施形態に従って標準的な調整値を使って調整された寸法（ｎ、ｏ、ｐ、ｒ、ｗ）で構成されたシャツの背面図である。
【図６】図６は、Ｒｅｂｅｃｃａ＆Ｄｒｅｗ  Ｍａｎｕｆａｃｔｕｒｉｎｇ，ＬＬＣ（米国ニューヨーク州ニューヨーク）から販売されている５つのスリムフィットシャツ「ロング」パターンの寸法（ａ〜ｘ）を、本発明の一実施形態に基づき、サイズ３４の胸囲と、Ａ〜ＤＤ範囲のブラジャーカップサイズについて示した表である。
【図７Ａ】図７Ａは、本発明の一実施形態に従って、スリムフィットシャツ「ペティート」パターンの胸囲サイズ３０〜４０およびブラジャーカップサイズＡの寸法（ａ〜ｘ）を示した表である。
【図７Ｂ】図７Ｂは、本発明の一実施形態に従って、スリムフィットシャツ「ペティート」パターンの胸囲サイズ３０〜４０およびブラジャーカップサイズＢの寸法（ａ〜ｘ）を示した表である。
【図７Ｃ】図７Ｃは、本発明の一実施形態に従って、スリムフィットシャツ「ペティート」パターンの胸囲サイズ３０〜４０およびブラジャーカップサイズＣの寸法（ａ〜ｘ）を示した表である。
【図７Ｄ】図７Ｄは、本発明の一実施形態に従って、スリムフィットシャツ「ペティート」パターンの胸囲サイズ３０〜４０およびブラジャーカップサイズＤの寸法（ａ〜ｘ）を示した表である。
【図７Ｅ】図７Ｅは、本発明の一実施形態に従って、スリムフィットシャツ「ペティート」パターンの胸囲サイズ３０〜４０およびブラジャーカップサイズＤＤの寸法（ａ〜ｘ）を示した表である。
【図８Ａ】図８Ａは、本発明の一実施形態に従って、スリムフィットシャツのパターンサイズ３４Ｂロングから、スリムフィットシャツのパターンサイズ３４Ａロング、３４Ｃロング、３４Ｄロング、および３４ＤＤロングを得るための各寸法（ａ〜ｘ）の変更パーセンテージを示した表である。
【図８Ｂ】図８Ｂは、本発明の一実施形態に従って、Ｒｅｂｅｃｃａ＆Ｄｒｅｗ  Ｍａｎｕｆａｃｔｕｒｉｎｇ，ＬＬＣ（米国ニューヨーク州ニューヨーク）から販売されているリラックスフィットシャツのパターンサイズ３４Ｂロングから、リラックスフィットシャツのパターンサイズ３４Ａロング、３４Ｃロング、３４Ｄロング、および３４ＤＤロングを得るための各寸法（ａ〜ｘ）の変更パーセンテージを示した表である。
【図８Ｃ】図８Ｃは、本発明の一実施形態に従って、Ｒｅｂｅｃｃａ＆Ｄｒｅｗ  Ｍａｎｕｆａｃｔｕｒｉｎｇ，ＬＬＣ（米国ニューヨーク州ニューヨーク）から販売されているホルターシャツのパターンサイズ３４Ｂロングから、ホルターシャツのパターンサイズ３４Ａロング、３４Ｃロング、３４Ｄロング、および３４ＤＤロングを得るための各寸法（ａ〜ｘ）の変更パーセンテージを示した表である。
【図８Ｄ】図８Ｄは、本発明の一実施形態に従って、Ｓｏｐｈｉｅ  Ｈｕｄｓｏｎ，Ｉｎｃ．（米国ニューヨーク州ニューヨーク）から「ソフィーハドソンミッシーフィット１０００７」（Ｓｏｐｈｉｅ  Ｈｕｄｓｏｎ  Ｍｉｓｓｙ  Ｆｉｔ  １０００７）シャツとして販売されている「ミッシーフィット」タイプのスタイルについて、「ソフィーハドソンミッシーフィット１０００７」シャツのパターンサイズ３４Ｂロングから、「ソフィーハドソンミッシーフィット１０００７」シャツのパターンサイズ３４Ａロング、３４Ｃロング、３４Ｄロング、および３４ＤＤロングを得るための各寸法（ａ〜ｘ）の変更パーセンテージを示した表である。
【図８Ｅ】図８Ｅは、本発明の一実施形態に従って、Ｓｏｐｈｉｅ  Ｈｕｄｓｏｎ，Ｉｎｃ．（米国ニューヨーク州ニューヨーク）から「ソフィーハドソンミッシーフィット１０００８」（Ｓｏｐｈｉｅ  Ｈｕｄｓｏｎ  Ｍｉｓｓｙ  Ｆｉｔ  １０００８）シャツとして販売されている「ミッシーフィット」タイプのスタイルについて、「ソフィーハドソンミッシーフィット１０００８」シャツのパターンサイズ３４Ｂロングから、「ソフィーハドソンミッシーフィット１０００７」シャツのパターンサイズ３４Ａロング、３４Ｃロング、３４Ｄロング、および３４ＤＤロングを得るための各寸法（ａ〜ｘ）の変更パーセンテージを示した表である。
【図９Ａ】図９Ａは、本発明の一実施形態に従って、Ｓｏｐｈｉｅ  Ｈｕｄｓｏｎ，Ｉｎｃ．（米国ニューヨーク州ニューヨーク）から「ソフィーハドソンウィメンズフィット１０００７」（Ｓｏｐｈｉｅ  Ｈｕｄｓｏｎ  Ｗｏｍｅｎ’ｓ  Ｆｉｔ  １０００７）シャツとして販売されている「ウィメンズフィット」タイプのスタイルについて、サイズ３４Ａ〜ＤＤロングの「ソフィーハドソンウィメンズフィット１０００７」シャツの各々の仕上げ寸法（ａ〜ｘ）を、サイズ３４Ｂロングのマスターパターンの仕上げ寸法のパーセンテージとして表した表である。
【図９Ｂ】図９Ｂは、本発明の一実施形態に従って、Ｓｏｐｈｉｅ  Ｈｕｄｓｏｎ，Ｉｎｃ．（米国ニューヨーク州ニューヨーク）から「ソフィーハドソンウィメンズフィット１０００８」（Ｓｏｐｈｉｅ  Ｈｕｄｓｏｎ  Ｗｏｍｅｎ’ｓ  Ｆｉｔ  １０００８）シャツとして販売されている「ウィメンズフィット」タイプのスタイルについて、サイズ３４Ａ〜ＤＤロングの「ソフィーハドソンウィメンズフィット１０００７」シャツの各々の仕上げ寸法（ａ〜ｘ）を、サイズ３４Ｂロングのマスターパターンの仕上げ寸法のパーセンテージとして表した表である。
【図９Ｃ】図９Ｃは、本発明の一実施形態に従って、Ｒｅｂｅｃｃａ＆Ｄｒｅｗ  Ｍａｎｕｆａｃｔｕｒｉｎｇ，ＬＬＣ（米国ニューヨーク州ニューヨーク）から販売されているサイズ３４Ａ〜ＤＤロング「マリー」（Ｍａｒｉｅ）シャツパターンの各々の仕上げ寸法（ａ〜ｘ）を、サイズ３４Ｂロングのマスターパターンの仕上げ寸法のパーセンテージとして表した表である。
【図９Ｄ】図９Ｄは、本発明の一実施形態に従って、サイズ３４Ａ〜ＤＤロングスリムフィットシャツパターンの各々の仕上げ寸法（ａ〜ｘ）を、サイズ３４Ｂロングのマスターパターンの仕上げ寸法のパーセンテージとして表した表である。
【図９Ｅ】図９Ｅは、本発明の一実施形態に従って、サイズ３４Ａ〜ＤＤロングリラックスフィットシャツパターンの各々の仕上げ寸法（ａ〜ｘ）を、サイズ３４Ｂロングのマスターパターンの仕上げ寸法のパーセンテージとして表した表である。
【図１０】図１０は、本発明の一実施形態に係るシャツ用のパターンピースを示した図である。
【図１１】図１１は、本発明の一実施形態に係る左前身ごろパターンピースおよび後ろ身ごろヨークピースの寸法ａを示した図である。
【図１２】図１２は、本発明の一実施形態に係る右前身ごろパターンピースと、前身ごろ側部パネルピースと、後ろ身ごろヨークピースとの寸法ｂを示した図である。
【図１３】図１３は、本発明の一実施形態に係る左右の前身ごろパターンピースと、前身ごろ側部パネルピースと、前開きピースと、後ろ身ごろ側部パネルピースと、後ろ身ごろパターンピースとの寸法ｃを示した図である。
【図１４】図１４は、本発明の一実施形態に係る左右の前身ごろパターンピースと、前身ごろ側部パネルピースと、前開きピースと、後ろ身ごろ側部パネルピースと、後ろ身ごろパターンピースとの寸法ｄを示した図である。
【図１５】図１５は、本発明の一実施形態に係る左右の前身ごろパターンピースと、前身ごろ側部パネルピースと、前開きピースと、後ろ身ごろ側部パネルピースと、後ろ身ごろパターンピースとの寸法ｅを示した図である。
【図１６】図１６は、本発明の一実施形態に係る左右の前身ごろパターンピースと、前開きピースとの寸法ｆを示した図である。
【図１７】図１７は、本発明の一実施形態に係る後ろ身ごろヨークパターンピースの寸法ｇを示した図である。
【図１８】図１８は、本発明の一実施形態に係る後ろ身ごろパターンピースおよび後ろ身ごろ側部パネルピースの寸法ｈを示した図である。
【図１９】図１９は、本発明の一実施形態に係る袖パターンピースおよびこの寸法に関与する他のパターンピースである右前身ごろパターンピースと、前身ごろ側部パネルピースと、後ろ身ごろ側部パネルピースと、後ろ身ごろパターンピースと、後ろ身ごろヨークピースとの寸法ｉを示した図である。
【図２０】図２０は、本発明の一実施形態に係る袖パターンピースと、後ろ身ごろヨークピースと、カフスパターンピースとの寸法ｊを示した図である。
【図２１Ａ】図２１Ａはスリムフィットシャツドレスの正面図であり、本発明の一実施形態に係る寸法がいかに定義されるかを示している。
【図２１Ｂ】図２１Ｂはスリムフィットシャツドレスの背面図であり、本発明の一実施形態に係る寸法がいかに定義されるかを示している。
【図２１Ｃ】図２１Ｃは、本発明の一実施形態に従って、図２１Ａおよび２１Ｂのスリムフィットシャツドレスパターンのサイズ３４Ａ〜ＤＤロングの寸法を定義した表である。
【図１Ａ】
2008544094.tif 000003
【図１Ｂ】
2008544094.tif 000004
【図１Ｃ】
2008544094.tif 000005
【図２】
2008544094.tif 000006
【図３】
2008544094.tif 000007
【図４】
2008544094.tif 000008
【図５Ａ】
2008544094.tif 000009
【図５Ｂ】
2008544094.tif 000010
【図６】
2008544094.tif 000011
【図７Ａ】
2008544094.tif 000012
【図７Ｂ】
2008544094.tif 000013
【図７Ｃ】
2008544094.tif 000014
【図７Ｄ】
2008544094.tif 000015
【図７Ｅ】
2008544094.tif 000016
【図８Ａ】
2008544094.tif 000017
【図８Ｂ】
2008544094.tif 000018
【図８Ｃ】
2008544094.tif 000019
【図８Ｄ】
2008544094.tif 000020
【図８Ｅ】
2008544094.tif 000021
【図９Ａ】
2008544094.tif 000022
【図９Ｂ】
2008544094.tif 000023
【図９Ｃ】
2008544094.tif 000024
【図９Ｄ】
2008544094.tif 000025
【図９Ｅ】
2008544094.tif 000026
【図１０】
2008544094.tif 000027
【図１１】
2008544094.tif 000028
【図１２】
2008544094.tif 000029
【図１３】
2008544094.tif 000030
【図１４】
2008544094.tif 000031
【図１５】
2008544094.tif 000032
【図１６】
2008544094.tif 000033
【図１７】
2008544094.tif 000034
【図１８】
2008544094.tif 000035
【図１９】
2008544094.tif 000036
【図２０】
2008544094.tif 000037
【図２１Ａ】
2008544094.tif 000038
【図２１Ｂ】
2008544094.tif 000039
【図２１Ｃ】
2008544094.tif 000040
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
着用者の上半身の少なくとも一部をカバーする外衣の寸法を最適に調整する方法であって、該方法は、
第１のサイズで該外衣を設計する工程と、
第２のサイズで該外衣を作製する工程と、
を包含し、
該第２のサイズは、該第１のサイズとブラジャーカップサイズにおいて異なり、
該作製する工程は、該第１のサイズの該外衣の全ての寸法よりも少数の寸法を調整して該第２のサイズの該外衣の寸法を取得することによって達成され、該調整は該第２のサイズの該ブラジャーカップサイズと関連する標準化された補正値セットに基づいて行われ、
該寸法は、着用者の上半身に所定の適合度をもたらす、
方法。
【請求項２】
前記標準化された補正値セットのうちの１つの補正値は、前記全ての寸法よりも少数の寸法を調整するための、少なくとも１つのパーセンテージを特定する、請求項１に記載の方法。
【請求項３】
前記第２のサイズは、長さにおいてさらに前記第１のサイズと異なり、前記補正値セットのうちの１つの補正値は、前記全ての寸法よりも少数の寸法を調整するための、少なくとも１つのインチ数を特定する、請求項１に記載の方法。
【請求項４】
前記第２のサイズは、長さにおいてさらに前記第１のサイズと異なり、前記標準化された補正値セットのうちの１つの補正値は、前記全ての寸法よりも少数の寸法のうちの少なくとも１つを調整するための、パーセンテージを特定し、該標準化された補正値セットのうちの別の補正値は、該全ての寸法よりも少数の寸法のうちの該少なくとも１つ、または該全ての寸法よりも少数の寸法のうちの別の１つを調整するための、インチ数を特定する、請求項１に記載の方法。
【請求項５】
前記第１のサイズは、ブラジャーカップサイズがＢで身長が５フィート６インチ以上かつ５フィート１１インチ未満の着用者用に設計される、請求項１に記載の方法。
【請求項６】
請求項５に記載の方法であって、
前記寸法は、ａ＝（ａ０＊Ｑ）＋Ｋ、ｂ＝（ｂ０＊Ｒ）＋Ｌ、ｃ＝ｃ０＊Ｓ、ｄ＝ｄ０＊Ｔ、ｅ＝ｅ０＊Ｕ、ｆ＝ｆ０＊Ｖ、ｇ＝ｇ０＊Ｗ、ｈ＝ｈ０＊Ｘ、ｉ＝ｉ０＊Ｙ、ｊ＝ｊ０＋Ｍ、ｋ＝ｋ０＋Ｎ、ｌ＝ｌ０、ｍ＝ｍ０、ｎ＝ｎ０、ｏ＝ｏ０、ｐ＝ｐ０、ｑ＝ｑ０、ｒ＝ｒ０、ｓ＝ｓ０、ｔ＝ｔ０、ｕ＝ｕ０、ｖ＝ｖ０、ｗ＝ｗ０、およびｘ＝ｘ０＊Ｚ、の寸法のうちの１つ以上を含み、
ここで、寸法ａ〜ｘは、それぞれ着丈、肩の一番高い点から胸部頂点まで、胸回り、裾回り、ウエスト、前身幅、肩幅、背幅、アームホール回り、裄丈、アームホールの底点からウエストまで、カフス回り、カフス幅、袖開き丈、袖開き幅、背首幅、前身ごろ襟ぐり深さ、後ろ身ごろ襟ぐり深さ、台襟幅、襟幅、前襟幅、前開き幅、ヨーク、およびスカートの裾回り、を表し、
寸法ａ０〜ｘ０は、前記第１のサイズにおける該寸法ａ〜ｘを表し、
前記調整は以下の定式、すなわち、
前記第２のサイズがブラジャーカップサイズＡの着用者用に設計される場合には、Ｑ＝９９．７％、Ｒ＝９７．５％、Ｓ＝９７．９％、Ｔ＝９８．７％、Ｕ＝９８．４％、Ｖ＝９８．９％、Ｗ＝９９．１％、Ｘ＝９９．１％、Ｙ＝９９．３％、Ｚ＝９８．９％、
該第２のサイズがブラジャーカップサイズＣの着用者用に設計される場合には、Ｑ＝１００．３％、Ｒ＝１０２．５％、Ｓ＝１０３．６％、Ｔ＝１０１．３％、Ｕ＝１０１．６％、Ｖ＝１０１．１％、Ｗ＝１００．９％、Ｘ＝１００．９％、Ｙ＝１００．７％、Ｚ＝１０１．１％、
該第２のサイズがブラジャーカップサイズＤの着用者用に設計される場合には、Ｑ＝１００．６％、Ｒ＝１０４．９％、Ｓ＝１０７％、Ｔ＝１０２．５％、Ｕ＝１０３．３％、Ｖ＝１０２．１％、Ｗ＝１０１．７％、Ｘ＝１０１．９％、Ｙ＝１０１．３％、Ｚ＝１０２．２％、
該第２のサイズがブラジャーカップサイズＤＤの着用者用に設計される場合には、Ｑ＝１０１％、Ｒ＝１０９．７％、Ｓ＝１１０．４％、Ｔ＝１０４．４％、Ｕ＝１０５．６％、Ｖ＝１０３１％、Ｗ＝１０２．５％、Ｘ＝１０２．８％、Ｙ＝１０２％、Ｚ＝１０３．９％、
該第２のサイズがブラジャーカップサイズＦの着用者用に設計される場合には、Ｑ＝１０３．２％、Ｒ＝１１５．７％、Ｓ＝１１１．３％、Ｔ＝１０５．８％、Ｕ＝１０６．８％、Ｖ＝１０３．３％、Ｗ＝１０３％、Ｘ＝１０３％、Ｙ＝１０４．２％、Ｚ＝１０５％、
該第２のサイズがブラジャーカップサイズＧの着用者用に設計される場合には、Ｑ＝１０４．１％、Ｒ＝１１７．８％、Ｓ＝１１１．５％、Ｔ＝１０７．３％、Ｕ＝１０８．６％、Ｖ＝１０４．１％、Ｗ＝１０３．７％、Ｘ＝１０３．８％、Ｙ＝１０５．４％、Ｚ＝１０６．１％、
該第２のサイズがブラジャーカップサイズＢの着用者用に設計される場合には、Ｑ＝Ｒ＝Ｓ＝Ｔ＝Ｕ＝Ｖ＝Ｗ＝Ｘ＝Ｙ＝Ｚ＝１００％、であり、
また、該第２のサイズが身長５フィート２インチ未満の着用者用に設計される場合には、Ｋ＝−３．５インチ、Ｌ＝−０．８７５インチ、Ｍ＝−３．５インチ、Ｎ＝−１．７５インチ、
該第２のサイズが身長５フィート２インチ以上５フィート６インチ未満の着用者用に設計される場合には、Ｋ＝−２インチ、Ｌ＝−０．５インチ、Ｍ＝−２インチ、Ｎ＝−１インチ、
該第２のサイズが身長５フィート１１インチ以上の着用者用に設計される場合には、Ｋ＝２インチ、Ｌ＝０．５インチ、Ｍ＝２インチ、Ｎ＝１インチ、
該第２のサイズが身長５フィート６インチ以上５フィート１１インチ未満の着用者用に設計される場合には、Ｋ＝Ｌ＝Ｍ＝Ｎ＝０、であり、
さらに、ａ〜ｘのうちの任意の１つ以上が±２％変化し得る、
該定式に従って行われる、
方法。
【請求項７】
前記外衣は、
シャツと、
織物のトップと、
カットソーのニットトップと、
フルファッションのニットトップと、
ジャケットと、
コートと、
ブレザーと、
アウターウェアーと、
シャツドレスと、
ドレスと、
ガウンと、
Ｔシャツと、
ポロシャツと、
セーターと、
スウェットシャツと、
タンクトップと、
のうちの少なくとも１つである、
請求項１に記載の方法。
【請求項８】
前記外衣は、織物生地と、メリヤス生地と、毛糸編物と、レース材料と、綿材料と、ポリエステル材料と、デニム材料と、皮革材料と、スエード材料と、天然毛皮材料と、合成毛皮材料と、麻材料と、羊毛材料と、コーデュロイ材料と、天然または合成の混合紡糸を含有する材料と、のうちの少なくとも１つから形成される、請求項１に記載の方法。
【請求項９】
着用者の上半身に所定の適合度を提供するうえで十分なサイズで形成された外衣であって、ブラジャーカップサイズにおいて第１の寸法と異なる第２の寸法の該外衣は該第２のサイズの該ブラジャーカップサイズと関連する標準化された補正値セットに基づいて該第１のサイズの該外衣の寸法から最適に調整された寸法を有し、該寸法は、該着用者のブラジャーカップサイズに基づいて調整された全ての寸法よりも少数の寸法を含む、外衣。
【請求項１０】
前記標準化された補正値セットのうちの１つの補正値は、前記全ての寸法よりも少数の寸法を調整するための、少なくとも１つのパーセンテージを特定する、請求項９に記載の外衣。
【請求項１１】
前記第２のサイズは、長さにおいてさらに第１のサイズと異なり、前記標準化された補正値セットのうちの１つの補正値は、前記全ての寸法よりも少数の寸法を調整するための、少なくとも１つのインチ数を特定する、請求項９に記載の外衣。
【請求項１２】
前記第２のサイズは、ブラジャーカップサイズおよび長さにおいてさらに第１のサイズと異なり、前記標準化された補正値セットのうちの１つの補正値は、前記全ての寸法よりも少数の寸法のうちの少なくとも１つを調整するための、パーセンテージを特定し、該標準化された補正値セットのうちの別の補正値は、該全ての寸法よりも少数の寸法のうちの該少なくとも１つ、または該全ての寸法よりも少数の寸法のうちの別の１つを調整するための、インチ数を特定する、請求項１０に記載の外衣。
【請求項１３】
前記第１のサイズは、ブラジャーカップサイズがＢで身長が５フィート６インチ以上かつ５フィート１１インチ未満の着用者用に設計される、請求項１２に記載の外衣。
【請求項１４】
請求項１３に記載の外衣であって、
前記寸法は、ａ＝（ａ０＊Ｑ）＋Ｋ、ｂ＝（ｂ０＊Ｒ）＋Ｌ、ｃ＝ｃ０＊Ｓ、ｄ＝ｄ０＊Ｔ、ｅ＝ｅ０＊Ｕ、ｆ＝ｆ０＊Ｖ、ｇ＝ｇ０＊Ｗ、ｈ＝ｈ０＊Ｘ、ｉ＝ｉ０＊Ｙ、ｊ＝ｊ０＋Ｍ、ｋ＝ｋ０＋Ｎ、ｌ＝ｌ０、ｍ＝ｍ０、ｎ＝ｎ０、ｏ＝ｏ０、ｐ＝ｐ０、ｑ＝ｑ０、ｒ＝ｒ０、ｓ＝ｓ０、ｔ＝ｔ０、ｕ＝ｕ０、ｖ＝ｖ０、ｗ＝ｗ０、およびｘ＝ｘ０＊Ｚ、の寸法のうちの１つ以上を含み、
ここで、寸法ａ〜ｘは、それぞれ着丈、肩の一番高い点から胸部頂点まで、胸回り、裾回り、ウエスト、前身幅、肩幅、背幅、アームホール回り、裄丈、アームホールの底点からウエストまで、カフス回り、カフス幅、袖開き丈、袖開き幅、背首幅、前身ごろ襟ぐり深さ、後ろ身ごろ襟ぐり深さ、台襟幅、襟幅、前襟幅、前開き幅、ヨーク、およびスカートの裾回りを表し、
寸法ａ０〜ｘ０は前記第１のサイズにおける該寸法ａ〜ｘを表し、
前記調整は以下の定式、すなわち、
前記第２のサイズがブラジャーカップサイズＡの着用者用に設計される場合には、Ｑ＝９９．７％、Ｒ＝９７．５％、Ｓ＝９７．９％、Ｔ＝９８．７％、Ｕ＝９８．４％、Ｖ＝９８．９％、Ｗ＝９９．１％、Ｘ＝９９．１％、Ｙ＝９９．３％、Ｚ＝９８．９％、
該第２のサイズがブラジャーカップサイズＣの着用者用に設計される場合には、Ｑ＝１００．３％、Ｒ＝１０２．５％、Ｓ＝１０３．６％、Ｔ＝１０１．３％、Ｕ＝１０１．６％、Ｖ＝１０１．１％、Ｗ＝１００．９％、Ｘ＝１００．９％、Ｙ＝１００．７％、Ｚ＝１０１．１％、
該第２のサイズがブラジャーカップサイズＤの着用者用に設計される場合には、Ｑ＝１００．６％、Ｒ＝１０４．９％、Ｓ＝１０７％、Ｔ＝１０２．５％、Ｕ＝１０３．３％、Ｖ＝１０２．１％、Ｗ＝１０１．７％、Ｘ＝１０１．９％、Ｙ＝１０１．３％、Ｚ＝１０２．２％、
該第２のサイズがブラジャーカップサイズＤＤの着用者用に設計される場合には、Ｑ＝１０１％、Ｒ＝１０９．７％、Ｓ＝１１０．４％、Ｔ＝１０４．４％、Ｕ＝１０５．６％、Ｖ＝１０３１％、Ｗ＝１０２．５％、Ｘ＝１０２．８％、Ｙ＝１０２％、Ｚ＝１０３．９％、
該第２のサイズがブラジャーカップサイズＦの着用者用に設計される場合には、Ｑ＝１０３．２％、Ｒ＝１１５．７％、Ｓ＝１１１．３％、Ｔ＝１０５．８％、Ｕ＝１０６．８％、Ｖ＝１０３．３％、Ｗ＝１０３％、Ｘ＝１０３％、Ｙ＝１０４．２％、Ｚ＝１０５％、
該第２のサイズがブラジャーカップサイズＧの着用者用に設計される場合には、Ｑ＝１０４．１％、Ｒ＝１１７．８％、Ｓ＝１１１．５％、Ｔ＝１０７．３％、Ｕ＝１０８．６％、Ｖ＝１０４．１％、Ｗ＝１０３．７％、Ｘ＝１０３．８％、Ｙ＝１０５．４％、Ｚ＝１０６．１％、
該第２のサイズがブラジャーカップサイズＢの着用者用に設計される場合には、Ｑ＝Ｒ＝Ｓ＝Ｔ＝Ｕ＝Ｖ＝Ｗ＝Ｘ＝Ｙ＝Ｚ＝１００％、であり、
また、該第２のサイズが身長５フィート２インチ未満の着用者用に設計される場合には、Ｋ＝−３．５インチ、Ｌ＝−０．８７５インチ、Ｍ＝−３．５インチ、Ｎ＝−１．７５インチ、
該第２のサイズが身長５フィート２インチ以上５フィート６インチ未満の着用者用に設計される場合には、Ｋ＝−２インチ、Ｌ＝−０．５インチ、Ｍ＝−２インチ、Ｎ＝−１インチ、
該第２のサイズが身長５フィート１１インチ以上の着用者用に設計される場合には、Ｋ＝２インチ、Ｌ＝０．５インチ、Ｍ＝２インチ、Ｎ＝１インチ、
前記第２のサイズが身長５フィート６インチ以上５フィート１１インチ未満の着用者用に設計される場合は、Ｋ＝Ｌ＝Ｍ＝Ｎ＝０、であり、
さらに、ａ〜ｘのうちの任意の１つ以上が±２％変化し得る、
該定式に従って行われる、
外衣。
【請求項１５】
前記外衣は、
シャツと、
織物のトップと、
カットソーのニットトップと、
フルファッションのニットトップと、
ジャケットと、
コートと、
ブレザーと、
アウターウェアーと、
シャツドレスと、
ドレスと、
ガウンと、
Ｔシャツと、
ポロシャツと、
セーターと、
スウェットシャツと、
タンクトップと、
のうちの少なくとも１つである、請求項９に記載の外衣。
【請求項１６】
前記外衣は、織物生地と、メリヤス生地と、毛糸編物と、レース材料と、綿材料と、ポリエステル材料と、デニム材料と、皮革材料と、スエード材料と、天然毛皮材料と、合成毛皮材料と、麻材料と、羊毛材料と、コーデュロイ材料と、天然または合成の混合紡糸を含有する材料と、のうちの少なくとも１つから形成される、請求項９に記載の外衣。
【請求項１７】
着用者の上半身の少なくとも一部をカバーする外衣を、最適に調整された寸法で設計する方法であって、
該外衣を第１のサイズで設計する工程と、
該第１のサイズの該外衣の少なくとも１つの寸法を調整して第２のサイズの該外衣の少なくとも１つの寸法を取得することによって、および該第１のサイズの該外衣の少なくとも１つの他の寸法を調整せずに該第２のサイズの該外衣の少なくとも１つの他の寸法を取得することによって、該第２のサイズで該外衣を作製する工程であって、該第１のサイズは、ブラジャーカップサイズおよび長さにおいて該第２のサイズと異なり、該調整は該第２のサイズの該ブラジャーカップサイズと関連する標準化された補正値セットに基づいて行われる、工程と、
を包含する、方法。
【請求項１８】
最適に調整された寸法を有し、着用者の上半身の少なくとも一部をカバーする外衣であって、
該外衣を第２のサイズで作製するための、第１のサイズの該外衣から調整された、少なくとも１つの寸法と、
該外衣を該第２のサイズで作製するための、第１のサイズの該外衣から調整されない、少なくとも１つの他の寸法であって、該第１のサイズはブラジャーカップサイズおよび長さにおいて該第２のサイズと異なり、かつ該調整は該第２のサイズの該ブラジャーカップサイズと関連する標準化された補正値セットに基づいて行われる、少なくとも１つの他の寸法と、
を備える、外衣。
【国際調査報告】
2008544094.tif 000041